(57)【要約】  本発明のユーザ端末は、下りデータチャネルに対する再送制御情報とスケジューリング要求（ＳＲ）とチャネル状態情報（ＣＳＩ）との少なくとも一つを含む上り制御情報（ＵＣＩ）を送信する送信部と、第１の上り制御チャネル及び前記第１の上り制御チャネルよりも長い期間の第２の上り制御チャネルが一以上のスロット内で時間分割多重される場合に、前記ＵＣＩの送信を制御する制御部と、を具備する。
2019082247.tif 000002
【特許請求の範囲】
【請求項１】
下りデータチャネルに対する再送制御情報とスケジューリング要求（ＳＲ）とチャネル状態情報（ＣＳＩ）との少なくとも一つを含む上り制御情報（ＵＣＩ）を送信する送信部と、
第１の上り制御チャネル及び前記第１の上り制御チャネルよりも長い期間の第２の上り制御チャネルが一以上のスロット内で時間分割多重される場合に、前記ＵＣＩの送信を制御する制御部と、
を具備することを特徴とするユーザ端末。
【請求項２】
前記制御部は、前記下りデータチャネルのスケジューリングに用いられる下り制御情報（ＤＣＩ）又は前記下りデータチャネルのスケジューリングに基づいて、前記再送制御情報の送信に用いる上り制御チャネルを決定することを特徴とする請求項１に記載のユーザ端末。
【請求項３】
前記再送制御情報の送信タイミングが前記ＳＲ用の上り制御チャネル及び／又は前記ＣＳＩ用の上り制御チャネルと衝突しない場合、前記再送制御情報用の上り制御チャネルと、前記ＳＲ用の上り制御チャネル及び／又は前記ＣＳＩ用の上り制御チャネルとを時間分割多重することを特徴とする請求項１又は請求項２に記載のユーザ端末。
【請求項４】
前記制御部は、前記再送制御情報の送信タイミングが前記ＳＲの上り制御チャネル及び／又は前記ＣＳＩ用の上り制御チャネルと衝突する場合、前記再送制御情報用の上り制御チャネルが開始するタイミングに基づいて、前記再送制御情報と前記ＳＲ及び／又は前記ＣＳＩとの送信を制御することを特徴とする請求項１から請求項３のいずれかに記載のユーザ端末。
【請求項５】
前記ＵＣＩ用の上り制御チャネルが上りデータチャネルに対する割当リソースの少なくとも一部と重複する場合、前記制御部は、前記上り制御チャネルの開始タイミングに基づいて、前記上りデータチャネルのレートマッチング及び／又はレートマッチング、及び／又は、前記ＵＣＩの少なくとも一部のドロップを制御することを特徴とする請求項１から請求項４のいずれかに記載のユーザ端末。
【請求項６】
ユーザ端末において、
下りデータチャネルに対する再送制御情報とスケジューリング要求（ＳＲ）とチャネル状態情報（ＣＳＩ）との少なくとも一つを含む上り制御情報（ＵＣＩ）を送信する工程と、
第１の上り制御チャネル及び前記第１の上り制御チャネルよりも長い期間の第２の上り制御チャネルが一以上のスロット内で時間分割多重される場合に、前記ＵＣＩの送信を制御する工程と、
を有することを特徴とする無線通信方法。
【発明の詳細な説明】
【技術分野】
【０００１】
本発明は、次世代移動通信システムにおけるユーザ端末及び無線通信方法に関する。
【背景技術】
【０００２】
ＵＭＴＳ（Universal  Mobile  Telecommunications  System）ネットワークにおいて、さらなる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥの後継システム（例えば、ＬＴＥ−Ａ（LTE-Advanced）、ＦＲＡ（Future  Radio  Access）、４Ｇ、５Ｇ、５Ｇ＋（plus）、ＮＲ（New  RAT）、ＬＴＥ  Ｒｅｌ．１４、１５〜、などともいう）も検討されている。【０００３】
既存のＬＴＥシステム（例えば、ＬＴＥ  Ｒｅｌ．８−１３）では、１ｍｓのサブフレーム（伝送時間間隔（ＴＴＩ：Transmission  Time  Interval）等ともいう）を用いて、下りリンク（ＤＬ：Downlink）及び／又は上りリンク（ＵＬ：Uplink）の通信が行われる。当該サブフレームは、チャネル符号化された１データパケットの送信時間単位であり、スケジューリング、リンクアダプテーション、再送制御（ＨＡＲＱ：Hybrid  Automatic  Repeat  reQuest）などの処理単位となる。【０００４】
また、既存のＬＴＥシステム（例えば、ＬＴＥ  Ｒｅｌ．８−１３）では、ユーザ端末は、上り制御チャネル（例えば、ＰＵＣＣＨ：Physical  Uplink  Control  Channel）又は上りデータチャネル（例えば、ＰＵＳＣＨ：Physical  Uplink  Shared  Channel）を用いて、上りリンク制御情報（ＵＣＩ：Uplink  Control  Information）を送信する。当該上り制御チャネルの構成（フォーマット）は、ＰＵＣＣＨフォーマット（ＰＦ：PUCCH  Format）等と呼ばれる。
【先行技術文献】
【非特許文献】
【０００５】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００６】
既存のＬＴＥシステム（例えば、ＬＴＥ  Ｒｅｌ．１３以前）では、期間が同一（例えば、通常サイクリックプリフィクス（ＣＰ：Cyclic  Prefix）では１４シンボル）である複数のフォーマットの上り制御チャネル（例えば、ＬＴＥ  ＰＵＣＣＨフォーマット１〜５等）がサポートされる。一方、将来の無線通信システム（例えば、ＬＴＥ  Ｒｅｌ．１４、１５〜、５Ｇ、ＮＲなど）では、少なくとも期間が異なる複数のフォーマットの上り制御チャネルをサポートすることが想定される。【０００７】
例えば、将来の無線通信システムでは、相対的に短い期間（例えば、１〜２シンボル）の第１の上り制御チャネル（ショートＰＵＣＣＨ、ＮＲ  ＰＵＣＣＨフォーマット０及び／又は２等ともいう）と、当該第１の上り制御チャネルよりも長い期間（例えば、４〜１４シンボル）の第２の上り制御チャネル（以下、ロングＰＵＣＣＨ、ＮＲ  ＰＵＣＣＨフォーマット１、３及び４の少なくとも一つ等ともいう）をサポートすることが検討されている。【０００８】
このように、少なくとも期間が異なる複数のフォーマットの上り制御チャネルがサポートされる場合には、同一期間の複数の上り制御チャネルだけがサポートされる既存のＬＴＥシステム（例えば、ＬＴＥ  Ｒｅｌ．１３以前）におけるＵＣＩの送信制御が適合しないことが想定される。【０００９】
本発明はかかる点に鑑みてなされたものであり、少なくとも期間が異なる複数のフォーマットの上り制御チャネルがサポートされる場合に、ＵＣＩの送信を適切に制御可能なユーザ端末及び無線通信方法を提供することを目的の一つとする。
【課題を解決するための手段】
【００１０】
本発明のユーザ端末の一態様は、下りデータチャネルに対する再送制御情報とスケジューリング要求（ＳＲ）とチャネル状態情報（ＣＳＩ）との少なくとも一つを含む上り制御情報（ＵＣＩ）を送信する送信部と、第１の上り制御チャネル及び前記第１の上り制御チャネルよりも長い期間の第２の上り制御チャネルが一以上のスロット内で時間分割多重される場合に、前記ＵＣＩの送信を制御する制御部と、を具備することを特徴とする。
【発明の効果】
【００１１】
本発明によれば、少なくとも期間が異なる複数のフォーマットの上り制御チャネルがサポートされる場合に、ＵＣＩの送信を適切に制御できる。
【図面の簡単な説明】
【００１２】
【図１】図１Ａ及び１Ｂは、将来の無線通信システムにおける上り制御チャネルの構成例を示す図である。
【図２】図２は、将来の無線通信システムにおけるＰＵＣＣＨフォーマットの一例を示す図である。
【図３】図３は、ショートＰＵＣＣＨ及びロングＰＵＣＣＨの時間分割多重の一例を示す図である。
【図４】図４は、第１の態様に係るＨＡＲＱ−ＡＣＫ用のＰＵＣＣＨの第１の決定例を示す図である。
【図５】図５は、第１の態様に係るＨＡＲＱ−ＡＣＫ用のＰＵＣＣＨの第２の決定例を示す図である。
【図６】図６は、第１の態様に係るＨＡＲＱ−ＡＣＫ用のＰＵＣＣＨの第３の決定例を示す図である。
【図７】図７Ａ及び７Ｂは、第２の態様に係る複数のＳＲの構成の一例を示す図である。
【図８】図８Ａ〜８Ｄは、第４の態様に係るＨＡＲＱ−ＡＣＫ及びＳＲの送信制御の一例を示す図である。
【図９】図９Ａ〜９Ｄは、第５の態様に係るＨＡＲＱ−ＡＣＫ及びＳＲの送信制御の一例を示す図である。
【図１０】図１０Ａ〜１０Ｄは、第６の態様に係るＨＡＲＱ−ＡＣＫ及びＳＲの送信制御の一例を示す図である。
【図１１】図１１Ａ及び１１Ｂは、第８の態様に係るＵＣＩのＰＵＳＣＨへのピギーバックの一例を示す図である。
【図１２】図１２は、本実施の形態に係る無線通信システムの概略構成の一例を示す図である。
【図１３】図１３は、本実施の形態に係る無線基地局の全体構成の一例を示す図である。
【図１４】図１４は、本実施の形態に係る無線基地局の機能構成の一例を示す図である。
【図１５】図１５は、本実施の形態に係るユーザ端末の全体構成の一例を示す図である。
【図１６】図１６は、本実施の形態に係るユーザ端末の機能構成の一例を示す図である。
【図１７】図１７は、本実施の形態に係る無線基地局及びユーザ端末のハードウェア構成の一例を示す図である。
【発明を実施するための形態】
【００１３】
既存のＬＴＥシステム（ＬＴＥ  Ｒｅｌ．１３以前）では、同一期間（例えば、通常サイクリックプリフィクス（ＣＰ：Cyclic  Prefix）では１４シンボル）の複数のフォーマット（例えば、ＬＴＥ  ＰＵＣＣＨフォーマット（ＬＴＥ  ＰＦ）１〜５等）の上り制御チャネル（例えば、ＰＵＣＣＨ）がサポートされる。
【００１４】
将来の無線通信システム（例えば、ＬＴＥ  Ｒｅｌ．１５〜、５Ｇ、ＮＲなど）では、少なくとも期間が異なる複数のフォーマット（例えば、ＮＲ  ＰＵＣＣＨフォーマット（ＮＲ  ＰＦ）、単に、ＰＵＣＣＨフォーマットともいう）の上り制御チャネル（例えば、ＰＵＣＣＨ）を用いて、ＵＣＩを送信することが検討されている。
【００１５】
図１は、将来の無線通信システムにおけるＰＵＣＣＨの一例を示す図である。図１Ａでは、相対的に少ないシンボル数（期間（duration）、例えば、１−２シンボル）で構成されるＰＵＣＣＨ（ショートＰＵＣＣＨ又は第１の上り制御チャネル）が示される。図１Ｂでは、ショートＰＵＣＣＨよりも多いシンボル数（期間、例えば、４〜１４シンボル）で構成されるＰＵＣＣＨ（ロングＰＵＣＣＨ又は第２の上り制御チャネル）が示される。
【００１６】
図１Ａに示すように、ショートＰＵＣＣＨは、スロットの最後から所定数のシンボル（例えば、１〜２シンボル）に配置されてもよい。なお、ショートＰＵＣＣＨの配置シンボルは、スロットの最後に限られず、スロットの最初又は途中の所定数のシンボルであってもよい。また、ショートＰＵＣＣＨは、一以上の周波数リソース（例えば、一以上のＰＲＢ）に配置される。なお、図１Ａでは、連続するＰＲＢにショートＰＵＣＣＨが配置されるものとするが、非連続のＰＲＢに配置されてもよい。
【００１７】
また、ショートＰＵＣＣＨは、スロット内で上りデータチャネル（以下、ＰＵＳＣＨともいう）と時分割多重及び／又は周波数分割多重されてもよい。また、ショートＰＵＣＣＨは、スロット内で下りデータチャネル（以下、ＰＤＳＣＨともいう）及び／又は下り制御チャネル（以下、ＰＤＣＣＨ：Physical  Downlink  Control  Channelともいう）と時分割多重及び／又は周波数分割多重されてもよい。
【００１８】
ショートＰＵＣＣＨでは、マルチキャリア波形（例えば、ＯＦＤＭ（Orthogonal  Frequency  Division  Multiplexing）波形）が用いられてもよいし、シングルキャリア波形（例えば、ＤＦＴ−ｓ−ＯＦＤＭ（Discrete  Fourier  Transform−Spread−Orthogonal  Frequency  Division  Multiplexing）波形）が用いられてもよい。
【００１９】
一方、図１Ｂに示すように、ロングＰＵＣＣＨは、ショートＰＵＣＣＨよりも多い数のシンボル（例えば、４〜１４シンボル）に渡って配置される。図１Ｂでは、当該ロングＰＵＣＣＨが、スロットの最初の所定数のシンボルには配置されないが、当該最初の所定数のシンボルに配置されてもよい。
【００２０】
図１Ｂに示すように、ロングＰＵＣＣＨは、パワーブースティング効果を得るため、ショートＰＵＣＣＨよりも少ない数の周波数リソース（例えば、１又は２つのＰＲＢ）で構成されてもよいし、又は、ショートＰＵＣＣＨと等しい数の周波数リソースで構成されてもよい。
【００２１】
また、ロングＰＵＣＣＨは、スロット内でＰＵＳＣＨと周波数分割多重されてもよい。また、ロングＰＵＣＣＨは、スロット内でＰＤＣＣＨと時分割多重されてもよい。また、ロングＰＵＣＣＨは、ショートＰＵＣＣＨと同一のスロット内に配置されてもよい。ロングＰＵＣＣＨでは、シングルキャリア波形（例えば、ＤＦＴ−ｓ−ＯＦＤＭ波形）が用いられてもよいし、マルチキャリア波形（例えば、ＯＦＤＭ波形）が用いられてもよい。
【００２２】
また、図１Ｂに示すように、ロングＰＵＣＣＨには、スロット内の所定期間（例えば、ミニ（サブ）スロット）毎に周波数ホッピングが適用されてもよい。当該周波数ホッピングは、周波数ホッピングの前後で送信するシンボル数が等しくなるタイミング（例えば、スロット当たり１４シンボルの場合、７シンボル）で行ってもよいし、前後のシンボル数が不均一となるタイミング（例えば、スロット当たり１４シンボルの場合、前半は６シンボル、後半は８シンボルなど）で行ってもよい。
【００２３】
図２は、将来の無線通信システムにおけるＰＵＣＣＨフォーマットの一例を示す図である。図２では、シンボル数及び／又はＵＣＩのビット数が異なる複数のＰＵＣＣＨフォーマット（ＮＲ  ＰＵＣＣＨフォーマット）が示される。なお、図２に示すＰＵＣＣＨフォーマットは例示にすぎず、ＰＵＣＣＨフォーマット０〜４の内容及び番号等は図２に示すものに限られない。
【００２４】
例えば、図２において、ＰＵＣＣＨフォーマット０は、２ビット以下（up  to  2  bits）のＵＣＩ用のショートＰＵＣＣＨ（例えば、図１Ａ）であり、シーケンスベース（sequence-based）ショートＰＵＣＣＨ等とも呼ばれる。当該ショートＰＵＣＣＨは、１又は２シンボルで２ビット以下のＵＣＩ（例えば、ＨＡＲＱ−ＡＣＫ及び／又はスケジューリング要求（ＳＲ：Scheduling  Request））を伝送（convey）する。
【００２５】
ＰＵＣＣＨフォーマット１は、２ビット以下のＵＣＩ用のロングＰＵＣＣＨ（例えば、図１Ｂ）である。当該ロングＰＵＣＣＨは、４〜１４シンボルで２ビット以下のＵＣＩを伝送する。ＰＵＣＣＨフォーマット１では、複数のユーザ端末が、例えば、巡回シフト（ＣＳ）及び／又は直交拡散符号（ＯＣＣ：Orthogonal  Cover  Code）を用いた時間領域（time-domain）のブロック拡散（block-wise  spreading）により、同一のＰＲＢ内で符号分割多重（ＣＤＭ）されてもよい。
【００２６】
ＰＵＣＣＨフォーマット２は、２ビットを超える（more  than  2  bits）ＵＣＩ用のショートＰＵＣＣＨ（例えば、図１Ａ）である。当該ショートＰＵＣＣＨは、１又は２シンボルで２ビットを超えるＵＣＩを伝送する。
【００２７】
ＰＵＣＣＨフォーマット３は、２ビットを超えるＵＣＩ用ロングＰＵＣＣＨ（例えば、図１Ｂ）であり、同一ＰＲＢ内で複数のユーザ端末が多重され得る。当該ロングＰＵＣＣＨは、４〜１４シンボルで２ビットを超えるＵＣＩを伝送する。ＰＵＣＣＨフォーマット３では、複数のユーザ端末が、ＣＳ及び／又はＯＣＣを用いた時間領域のブロック拡散により、同一ＰＲＢ内で符号分割多重されてもよい。或いは、複数のユーザ端末が、離散フーリエ変換（ＤＦＴ）前の（周波数領域）のブロック拡散、周波数分割多重（ＦＤＭ）、櫛の歯状のサブキャリア（Comb）の少なくとも一つを用いて多重されてもよい。また、ＰＵＣＣＨフォーマット３には、ＤＦＴ拡散前のＯＣＣは適用されなくともよい。
【００２８】
ＰＵＣＣＨフォーマット４は、２ビットを超えるＵＣＩ用のロングＰＵＣＣＨ（例えば、図１Ｂ）であり、同一ＰＲＢ内で単一のユーザ端末が多重される。当該ロングＰＵＣＣＨは、２ビットより大きいＵＣＩを伝送する。ＰＵＣＣＨフォーマット４では、複数のユーザ端末が同一ＰＲＢ内に多重されない点で、ＰＵＣＣＨフォーマット３と異なってもよい。また、ＰＵＣＣＨフォーマット４では、ＤＦＴ拡散前にＯＣＣが適用されてもよい。
【００２９】
以上のように、将来の無線通信システム（例えば、ＬＴＥ  Ｒｅｌ．１５〜、５Ｇ、ＮＲなど）では、ショートＰＵＣＣＨ用の２つのフォーマット（図２では、ＰＦ０／２）とロングＰＵＣＣＨ用の３つのフォーマット（図２では、ＰＦ１／３／４）をサポートすることが検討されている。
【００３０】
また、ショートＰＵＣＣＨとロングＰＵＣＣＨとは一以上のスロット（単一又は複数のスロット）内で時間分割多重（ＴＤＭ：Time  Division  Multiplexing）されることが想定される。また、ショートＰＵＣＣＨは、スロット内のどのシンボルにも配置可能であるので、複数のショートＰＵＣＣＨが一以上のスロット（単一又は複数のスロット）内で時間分割多重されることも想定される。
【００３１】
図３は、ショートＰＵＣＣＨ及びロングＰＵＣＣＨの時間分割多重の一例を示す図である。図３に示すように、ショートＰＵＣＣＨ及びロングＰＵＣＣＨは、単一スロット内で時間分割多重されてもよいし、複数スロット内で時間分割多重されてもよい。また、複数のショートＰＵＣＣＨが単一スロット内で時間分割多重されてもよい。
【００３２】
ユーザ端末は、同一のスロット内でロングＰＵＣＣＨ及びショートＰＵＣＣＨをＴＤＭ送信してもよいし、ロングＰＵＣＣＨ又はショートＰＵＣＣＨのいずれかを送信してもよい。また、ユーザ端末は、同一のスロット内で複数のショートＰＵＣＣＨをＴＤＭ送信してもよい。
【００３３】
このように、少なくとも時間長が異なる複数のＰＵＣＣＨフォーマットが一以上のスロット内で時間分割多重される場合、ユーザ端末におけるＵＣＩの送信をどのように制御するかが問題となる。そこで、本発明者らは、少なくとも時間長が異なる複数のＰＵＣＣＨフォーマットが一以上のスロット内で時間分割多重される場合において、ＵＣＩの送信を適切に制御する方法を検討し、本発明に至った。
【００３４】
具体的には、本発明者らは、特定のＵＣＩ（例えば、特定のＣＣ及び／又は特定のスロットのＰＤＳＣＨに対するＨＡＲＱ−ＡＣＫ、ＳＲ、特定のＣＳＩプロセスのＣＳＩ、特定のＵＣＩタイプ等）の送信に用いられるＰＵＣＣＨ（又はＰＵＣＣＨフォーマット）をユーザ端末に対して適切に設定及び／又は指定する方法を検討した（第１〜第３の態様）。
【００３５】
また、本発明者らは、特定のＵＣＩ（例えば、ＨＡＲＱ−ＡＣＫ）の送信タイミングが他のＵＣＩのＰＵＣＣＨと衝突する場合においてＵＣＩの送信を適切に制御する方法を検討した（第４〜第６の態様）。また、本発明者らは、ＵＣＩの最大符号化率を制御する方法を検討した（第７の態様）。また、本発明者らは、ＵＣＩの送信タイミングがＰＵＳＣＨと衝突する場合において当該ＵＣＩの送信を適切に制御する方法を検討した（第８〜第１１の態様）。
【００３６】
以下、本実施の形態について詳細に説明する。本実施の形態において、「ＵＣＩ」は、スケジューリング要求（ＳＲ：Scheduling  Request）、下りデータ（下りデータチャネル（例えば、ＰＤＳＣＨ：Physical  Downlink  Shared  Channel））に対する再送制御情報（ＨＡＲＱ−ＡＣＫ：Hybrid  Automatic  Repeat  reQuest−Acknowledge、ＡＣＫ又はＮＡＣＫ（Negative  ＡＣＫ））、チャネル状態情報（ＣＳＩ：Channel  State  Information）、ビームに関する情報（例えば、ＢＩ：Beam  Index）の少なくとも一つを含んでもよい。
【００３７】
また、本実施の形態において、「ショートＰＵＣＣＨ（第１の上り制御チャネル）」は、図２に示されるＰＵＣＣＨフォーマット０及び２を総称し、「ロングＰＵＣＣＨ（第２の上り制御チャネル）」は、図２に示されるＰＵＣＣＨフォーマット１、３、４を総称するものとする。なお、ショートＰＵＣＣＨ及びロングＰＵＣＣＨの構成は、図２に示されるＰＵＣＣＨフォーマットに限られず、適宜、変更、追加又は削除されてもよい。また、ロングＰＵＣＣＨ及びショートＰＵＣＣＨをそれぞれ示すＰＵＣＣＨフォーマットの番号も図２に示すものに限られない。
【００３８】
（第１の態様）
第１の態様では、ＨＡＲＱ−ＡＣＫ（ＨＡＲＱ−ＡＣＫを含み、ＳＲ及びＣＳＩを含まないＵＣＩ）の送信に用いられるＰＵＣＣＨの決定について説明する。ユーザ端末は、ＰＤＳＣＨ（下りデータチャネル）のスケジューリングに用いられるＤＣＩ（ＤＬアサインメント）又はＰＤＳＣＨのスケジューリングに基づいて、ＨＡＲＱ−ＡＣＫの送信に用いるＰＵＣＣＨを決定してもよい。
【００３９】
＜ＨＡＲＱ−ＡＣＫ用のＰＵＣＣＨの第１の決定例＞
第１の決定例では、ユーザ端末は、ＰＤＳＣＨをスケジューリングするＤＣＩ内の所定フィールドの値に基づいて、当該ＰＤＳＣＨのＨＡＲＱ−ＡＣＫの送信に用いるＰＵＣＣＨを決定する。当該所定フィールドは、所定情報項目（ＩＥ：Information  Element）、所定インデックス等と言い換えられてもよい。
【００４０】
第１の決定例において、ＰＤＳＣＨをスケジューリングするＤＣＩは、当該ＰＤＳＣＨに対するＨＡＲＱ−ＡＣＫがどのＰＵＣＣＨ（又はＰＵＣＣＨフォーマット）に多重されるかを明示的又は黙示的に示してもよい。
【００４１】
具体的には、（１）当該ＤＣＩは、ＰＵＣＣＨリソースの一部としてＰＵＣＣＨの一つを示す所定フィールドを含んでもよい。ここで、ＰＵＣＣＨリソースは、時間領域、周波数領域及び符号領域の少なくとも一つで特定されるリソースである。各ＰＵＣＣＨリソースには、ＰＵＣＣＨフォーマットが関連付けられてもよい。この場合、ＰＵＣＣＨリソースを切り替えることで同時にＰＵＣＣＨフォーマットも切り替えできるため、より柔軟なＰＵＣＣＨ制御が可能となる。また、各ＰＵＣＣＨリソースには、その他ＰＵＣＣＨ送信に関わるパラメータ群、例えば最大符号化率（Ｍａｘ  ｃｏｄｅ  ｒａｔｅ）、送信電力パラメータ、などが関連付けられていてもよい。
【００４２】
ユーザ端末には、一以上のＰＵＣＣＨリソースを示す構成（configuration）情報が上位レイヤシグナリング（例えば、ＲＲＣシグナリング）により設定され、ＤＣＩの所定フィールド値により当該一以上のＰＵＣＣＨリソースの一つが指定される。ユーザ端末は、当該所定フィールド値によって指定されたＰＵＣＣＨリソースによって、ＨＡＲＱ−ＡＣＫの送信に用いるＰＵＣＣＨフォーマットを決定してもよい。
【００４３】
或いは、（２）当該ＤＣＩは、ＨＡＲＱ−ＡＣＫの送信タイミング（ＨＡＲＱ−ＡＣＫタイミング、フィードバックタイミング）を示す所定フィールドを含んでもよい。ユーザ端末は、当該所定フィールド値によって指定されたＨＡＲＱ−ＡＣＫタイミングによって、ＨＡＲＱ−ＡＣＫの送信に用いるＰＵＣＣＨフォーマットを決定してもよい。
【００４４】
図４は、第１の態様に係るＨＡＲＱ−ＡＣＫ用のＰＵＣＣＨの第１の決定例を示す図である。例えば、図４では、各ＰＤＳＣＨをスケジューリングするＤＣＩ内の所定フィールド値（例えば、（１）ＰＵＣＣＨリソースを示すフィールド値又は（２）ＨＡＲＱ−ＡＣＫタイミングを示すフィールド値）が、ＨＡＲＱ−ＡＣＫの送信に用いるＰＵＣＣＨフォーマットを示す。
【００４５】
ユーザ端末は、当該ＤＣＩ内の所定フィールド値に基づいて決定されるＰＵＣＣＨ（ここでは、ショートＰＵＣＣＨ及びロングＰＵＣＣＨ）を用いて、当該ＤＣＩによってスケジューリングされたＰＤＳＣＨに対するＨＡＲＱ−ＡＣＫを送信する。
【００４６】
＜ＨＡＲＱ−ＡＣＫ用のＰＵＣＣＨの第２の決定例＞
第２の決定例では、ユーザ端末は、ＰＤＳＣＨをスケジューリングするＤＣＩのタイプに基づいて、当該ＰＤＳＣＨのＨＡＲＱ−ＡＣＫの送信に用いるＰＵＣＣＨを決定する。当該ＤＣＩのタイプは、ＤＣＩフォーマット、ＤＣＩのサイズ、ＤＣＩの種別等と言い換えられてもよい。
【００４７】
第２の決定例において、ユーザ端末には、ＤＣＩのタイプとＰＵＣＣＨ（又はＰＵＣＣＨフォーマット）との関連付けを示す情報が、上位レイヤシグナリングにより通知されてもよい。なお、当該関連付けは、仕様により固定的に定められていてもよい。
【００４８】
例えば、（１）プライマリセル（ＰＣｅｌｌ：Primary  Cell）のＰＤＳＣＨをスケジューリングするＤＣＩは、あるＰＵＣＣＨ（例えば、ロングＰＵＣＣＨ）に関連付けられ、セカンダリセル（ＳＣｅｌｌ：Secondary  Cell）のＰＤＳＣＨをスケジューリングするＤＣＩは、他のＰＵＣＣＨ（例えば、ショートＰＵＣＣＨ）に関連付けられてもよい。
【００４９】
或いは、（２）一以上のユーザ端末に共通のサーチスペース（共通サーチスペース（ＣＳＳ：Common  Search  Space））で検出されるＤＣＩは、あるＰＵＣＣＨ（例えば、ロングＰＵＣＣＨ）に関連付けられ、ユーザ端末に固有のサーチスペース（ＵＥ固有サーチスペース（ＵＥ−ＳＳ））で検出されるＤＣＩは、他のＰＵＣＣＨ（例えば、ショートＰＵＣＣＨ）に関連付けられてもよい。
【００５０】
図５は、第１の態様に係るＨＡＲＱ−ＡＣＫ用のＰＵＣＣＨの第２の決定例を示す図である。例えば、図５では、各ＰＤＳＣＨをスケジューリングするＤＣＩのタイプ（ここでは、ＰＣｅｌｌ用又はＳＣｅｌｌ用）が、ＨＡＲＱ−ＡＣＫの送信に用いるＰＵＣＣＨフォーマットを示す。
【００５１】
ユーザ端末は、当該ＤＣＩのタイプに基づいて決定されるＰＵＣＣＨ（ここでは、ショートＰＵＣＣＨ及びロングＰＵＣＣＨ）を用いて、当該ＤＣＩによってスケジューリングされたＰＤＳＣＨに対するＨＡＲＱ−ＡＣＫを送信する。
【００５２】
＜ＨＡＲＱ−ＡＣＫ用のＰＵＣＣＨの第３の決定例＞
第３の決定例では、ユーザ端末は、ＰＤＳＣＨのスケジューリングに基づいて、当該ＰＤＳＣＨのＨＡＲＱ−ＡＣＫの送信に用いるＰＵＣＣＨを決定する。具体的には、ユーザ端末は、スロットベースのスケジューリングであるか否かに基づいて上記ＰＵＣＣＨを決定する。
【００５３】
第３の決定例において、ＰＤＳＣＨがスロットベースでスケジューリングされる場合、当該ＰＤＳＣＨに対するＨＡＲＱ−ＡＣＫは、あるＰＵＣＣＨ（例えば、ロングＰＵＣＣＨ）で送信されてもよい。一方、ＰＤＳＣＨが非スロットベース（ミニスロットベース）でスケジューリングされる場合、当該ＰＤＳＣＨに対するＨＡＲＱ−ＡＣＫは、他のＰＵＣＣＨ（例えば、ショートＰＵＣＣＨ）で送信されてもよい。
【００５４】
図６は、第１の態様に係るＨＡＲＱ−ＡＣＫ用のＰＵＣＣＨの第３の決定例を示す図である。例えば、図６では、各ＰＤＳＣＨのスケジューリングのタイプ（ここでは、非スロットベース用又はスロットベース）が、ＨＡＲＱ−ＡＣＫの送信に用いるＰＵＣＣＨフォーマットを示す。
【００５５】
ユーザ端末は、ＰＤＳＣＨがスロットベースでスケジューリングされるか否かに基づいて決定されるＰＵＣＣＨ（ここでは、ショートＰＵＣＣＨ及びロングＰＵＣＣＨ）を用いて、当該ＰＤＳＣＨに対するＨＡＲＱ−ＡＣＫを送信する。
【００５６】
なお、図６において、ショートＰＵＣＣＨとロングＰＵＣＣＨの少なくとも一部が衝突（collide）する場合、ショートＰＵＣＣＨが送信され、ロングＰＵＣＣＨがドロップされてもよい。
【００５７】
第１の態様では、ＰＤＳＣＨのスケジューリングに用いられるＤＣＩ（ＤＬアサインメント）又はＰＤＳＣＨのスケジューリングに基づいて、ＨＡＲＱ−ＡＣＫの送信に用いるＰＵＣＣＨが決定されるので、ＨＡＲＱ−ＡＣＫ用のＰＵＣＣＨを動的に制御できる。
【００５８】
（第２の態様）
第２の態様では、ＳＲ（ＳＲを含み、ＨＡＲＱ−ＡＣＫ及びＣＳＩを含まないＵＣＩ）の送信に用いられるＰＵＣＣＨの決定について説明する。ユーザ端末は、上位レイヤシグナリングに基づいて、ＳＲの送信に用いるＰＵＣＣＨを決定してもよい。
【００５９】
各ＳＲは、上位レイヤシグナリング（例えば、ＲＲＣシグナリング）により、ＰＵＣＣＨフォーマット及び／又は期間（長さ、例えば、ロング又はショート）に関連付けられてもよい。
【００６０】
図７は、第２の態様に係る複数のＳＲの構成の一例を示す図である。複数のＳＲの構成（configuration）がある場合、図７Ａに示すように、当該複数のＳＲそれぞれに対応する複数のＰＵＣＣＨが時分割多重されて設定（configure）されてもよい。また、図７Ｂに示すように、当該複数のＳＲそれぞれに対応する複数のＰＵＣＣＨの少なくとも２つが重複（overlapped）して設定されてもよい。
【００６１】
図７Ａ及び７Ｂに示すように、複数のＳＲそれぞれのＰＵＣＣＨ（ＰＵＣＣＨリソース又はＳＲリソース）が設定される場合、ユーザ端末は、設定されたどのＰＵＣＣＨを用いてＳＲを送信してもよい。
【００６２】
例えば、図７Ｂでは、ユーザ端末は、前のスロットでトラフィックが発生する場合、ロングＰＵＣＣＨを用いてＳＲを送信し、現在のスロット内でトラフィックが発生する場合、ショートＰＵＣＣＨを用いてＳＲを送信してもよい。当該ショートＰＵＣＣＨは、スロット内に設定される一以上のショートＰＵＣＣＨの中で、トラフィックの発生時から最も早いショートＰＵＣＣＨであってもよいし、トラフィックタイプ（例えば、ＵＲＬＬＣ：Ultra  Reliable  and  Low  Latency  Communications、ｅＭＢＢ：enhanced  Mobile  Broad  Band、ｅＭＴＣ：enhanced  Machine  Type  Communicationなど）に応じて定められたショートＰＵＣＣＨであってもよい。
【００６３】
第２の態様では、上位レイヤシグナリングに基づいてＳＲの送信に用いるＰＵＣＣＨが決定されるので、ＳＲ用のＰＵＣＣＨを準静的に制御できる。
【００６４】
（第３の態様）
第３の態様では、ＣＳＩ（ＣＳＩを含み、ＨＡＲＱ−ＡＣＫ及びＳＲを含まないＵＣＩ）の送信に用いられるＰＵＣＣＨの決定について説明する。ユーザ端末は、ＣＳＩの報告のトリガ情報を含むＤＣＩに基づいて、又は、上位レイヤシグナリングに基づいて、ＣＳＩの送信に用いるＰＵＣＣＨを決定してもよい。
【００６５】
＜非周期的ＣＳＩ＞
ＰＵＣＣＨを用いて非周期的（Aperiodic）ＣＳＩ（Ａ−ＣＳＩ）をフィードバックする場合、非周期ＣＳＩをトリガするＤＣＩは、Ａ−ＣＳＩがどのＰＵＣＣＨ（又はＰＵＣＣＨフォーマット）に多重されるかを明示的又は黙示的に示してもよい。
【００６６】
具体的には、（１）当該ＤＣＩは、上記ＰＵＣＣＨリソースの一部としてＰＵＣＣＨの一つを示す所定フィールドを含んでもよい。ユーザ端末には、上位レイヤシグナリングにより一以上のＰＵＣＣＨリソースが設定され、ＤＣＩの所定フィールド値により当該一以上のＰＵＣＣＨリソースの一つが指定される。ユーザ端末は、当該所定フィールド値によって指定されたＰＵＣＣＨリソースによって、Ａ−ＣＳＩの送信に用いるＰＵＣＣＨフォーマットを決定してもよい。
【００６７】
或いは、（２）当該ＤＣＩは、Ａ−ＣＳＩの送信タイミング（フィードバックタイミング）を示す所定フィールドを含んでもよい。ユーザ端末は、当該所定フィールド値によって指定された送信タイミングによって、Ａ−ＣＳＩの送信に用いるＰＵＣＣＨフォーマットを決定してもよい。
【００６８】
＜周期的ＣＳＩ＞
ＰＵＣＣＨを用いて周期的（Periodic）ＣＳＩ（Ｐ−ＣＳＩ）をフィードバックする場合、ユーザ端末は、上位レイヤシグナリングに基づいて、Ｐ−ＣＳＩの送信に用いるＰＵＣＣＨを決定してもよい。
【００６９】
ユーザ端末には、上位レイヤシグナリングにより、Ｐ−ＣＳＩとＰＵＣＣＨフォーマットとの関連付けを示す情報が通知されてもよい。ユーザ端末は、当該情報に基づいて、Ｐ−ＣＳＩの送信に用いるＰＵＣＣＨフォーマットを決定してもよい。
【００７０】
＜準静的ＣＳＩ＞
ＰＵＣＣＨを用いて準静的（semi-persistent）ＣＳＩ（ＳＰ−ＣＳＩ）をフィードバックする場合、準静的ＣＳＩをトリガするＤＣＩは、ＳＰ−ＣＳＩがどのＰＵＣＣＨ（又はＰＵＣＣＨフォーマット）に多重されるかを明示的又は黙示的に示してもよい。
【００７１】
具体的には、（１）当該ＤＣＩは、上記ＰＵＣＣＨリソースの一部としてＰＵＣＣＨの一つを示す所定フィールドを含んでもよい。ユーザ端末には、上位レイヤシグナリングにより一以上のＰＵＣＣＨリソースが設定され、ＤＣＩの所定フィールド値により当該一以上のＰＵＣＣＨリソースの一つが指定される。ユーザ端末は、当該所定フィールド値によって指定されたＰＵＣＣＨリソースによって、ＳＰ−ＣＳＩの送信に用いるＰＵＣＣＨフォーマットを決定してもよい。
【００７２】
或いは、（２）当該ＤＣＩは、ＳＰ−ＣＳＩの送信タイミング（フィードバックタイミング）を示す所定フィールドを含んでもよい。ユーザ端末は、当該所定フィールド値によって指定された送信タイミングによって、ＳＰ−ＣＳＩの送信に用いるＰＵＣＣＨフォーマットを決定してもよい。
【００７３】
第３の態様では、ユーザ端末は、ＣＳＩの報告のトリガ情報を含むＤＣＩに基づいて、又は、上位レイヤシグナリングに基づいて、ＣＳＩ（Ａ−ＣＳＩ、Ｐ−ＣＳＩ又はＳＰ−ＣＳＩ）の送信に用いるＰＵＣＣＨを決定されるので、ＣＳＩの送信に用いるＰＵＣＣＨを動的又は準静的に制御できる。
【００７４】
（第４の態様）
第４の態様では、ＰＵＣＣＨを用いたＨＡＲＱ−ＡＣＫとＳＲとの送信制御について説明する。図８は、第４の態様に係るＨＡＲＱ−ＡＣＫ及びＳＲの送信制御の一例を示す図である。なお、図８では、ＨＡＲＱ−ＡＣＫ用のショートＰＵＣＣＨとＳＲ用のロングＰＵＣＣＨが示されるが、ＨＡＲＱ−ＡＣＫ、ＳＲ用に用いられるＰＵＣＣＨは図示するものに限られない。
【００７５】
図８Ａに示すように、ＨＡＲＱ−ＡＣＫの送信タイミングがＳＲ用のＰＵＣＣＨと衝突しない場合、ユーザ端末は、ＨＡＲＱ−ＡＣＫ用のＰＵＣＣＨ（例えば、ショートＰＵＣＣＨ）とＳＲ用のＰＵＣＣＨ（例えば、ロングＰＵＣＣＨ）とを時間分割多重して送信してもよい。
【００７６】
図８Ｂ〜８Ｄに示すように、ＨＡＲＱ−ＡＣＫの送信タイミングがＳＲ用のＰＵＣＣＨと衝突する場合、ユーザ端末は、ＨＡＲＱ−ＡＣＫ用のＰＵＣＣＨが開始するタイミングに基づいて、ＨＡＲＱ−ＡＣＫとＳＲとの送信を制御してもよい。
【００７７】
図８Ｂに示すように、ＨＡＲＱ−ＡＣＫ用のＰＵＣＣＨ（例えば、ショートＰＵＣＣＨ）がＳＲ用のＰＵＣＣＨ（例えば、ロングＰＵＣＣＨ）と同一のタイミングに開始する場合、ユーザ端末は、ＨＡＲＱ−ＡＣＫ及びＳＲを同一のチャネル（例えば、ショートＰＵＣＣＨ）に多重して送信してもよい。この場合、ユーザ端末は、ＰＵＣＣＨフォーマットをよりペイロードの多いＰＵＣＣＨフォーマットにフォールバックしてもよい（例えば、ＰＦ０⇒２）。
【００７８】
図８Ｃに示すように、ＨＡＲＱ−ＡＣＫ用のＰＵＣＣＨ（例えば、ショートＰＵＣＣＨ）がＳＲ用のＰＵＣＣＨ（例えば、ロングＰＵＣＣＨ）より前に開始する場合、ユーザ端末は、ＨＡＲＱ−ＡＣＫ用のＰＵＣＣＨ（例えば、ショートＰＵＣＣＨ）を用いてＨＡＲＱ−ＡＣＫを送信し、ＳＲの送信を延期（pending）してもよい。あるいは、この場合図８Ａと同様に両者が衝突しないことから、ユーザ端末は、ＨＡＲＱ−ＡＣＫ用のＰＵＣＣＨ（例えば、ショートＰＵＣＣＨ）とＳＲ用のＰＵＣＣＨ（例えば、ロングＰＵＣＣＨ）とを時間分割多重して送信してもよい。
【００７９】
或いは、図８Ｃにおいて、ユーザ端末は、ＨＡＲＱ−ＡＣＫ及びＳＲの双方を送信してもよい。例えば、ＨＡＲＱ−ＡＣＫが２ビット以下である場合、ユーザ端末は、ＳＲが１（positive）であれば、ＳＲ用のＰＵＣＣＨ（ＳＲリソース、例えば、ロングＰＵＣＣＨ）を用いてＨＡＲＱ−ＡＣＫを送信し、ＳＲが０（negative）であれば、ＨＡＲＱ−ＡＣＫ用のＰＵＣＣＨ（ＨＡＲＱ−ＡＣＫリソース、例えば、ショートＰＵＣＣＨ）を用いてＨＡＲＱ−ＡＣＫを送信してもよい。これにより、ユーザ端末は、ＳＲを黙示的に無線基地局に通知できる。
【００８０】
また、図８Ｃにおいて、ＨＡＲＱ−ＡＣＫが２ビットを超える場合、ユーザ端末は、ＳＲ及びＨＡＲＱ−ＡＣＫを結合して符号化（ジョイント符号化）し、ＨＡＲＱ−ＡＣＫ用のＰＵＣＣＨを用いて送信してもよい。
【００８１】
図８Ｄに示すように、ＨＡＲＱ−ＡＣＫ用のＰＵＣＣＨ（例えば、ショートＰＵＣＣＨ）がＳＲ用のＰＵＣＣＨ（例えば、ロングＰＵＣＣＨ）より後に開始する場合、ユーザ端末は、ＨＡＲＱ−ＡＣＫ用のＰＵＣＣＨ（例えば、ショートＰＵＣＣＨ）の送信を開始する前にＳＲをドロップ又はキャンセルし、ＨＡＲＱ−ＡＣＫ用のＰＵＣＣＨを用いてＨＡＲＱ−ＡＣＫを送信してもよい。
【００８２】
或いは、図８Ｃと同様に、ユーザ端末は、ＨＡＲＱ−ＡＣＫ用のＰＵＣＣＨ又はＳＲ用のＰＵＣＣＨを用いてＨＡＲＱ−ＡＣＫを明示的に送信し、ＳＲを黙示的に送信してもよい。また、ユーザ端末は、ＨＡＲＱ−ＡＣＫ及びＳＲをジョイント符号化して、ＨＡＲＱ−ＡＣＫ用のＰＵＣＣＨを用いて送信してもよい。
【００８３】
第４の態様では、ＨＡＲＱ−ＡＣＫの送信タイミングがＳＲ用のＰＵＣＣＨと衝突する場合にも、ＨＡＲＱ−ＡＣＫ用のＰＵＣＣＨが開始するタイミングに基づいて、ＨＡＲＱ−ＡＣＫとＳＲとの送信を適切に制御できる。
【００８４】
（第５の態様）
第５の態様では、ＰＵＣＣＨを用いたＨＡＲＱ−ＡＣＫとＣＳＩとの送信制御について説明する。図９は、第５の態様に係るＨＡＲＱ−ＡＣＫ及びＣＳＩの送信制御の一例を示す図である。なお、図９では、ＨＡＲＱ−ＡＣＫ用のショートＰＵＣＣＨとＣＳＩ用のロングＰＵＣＣＨが示されるが、ＨＡＲＱ−ＡＣＫ、ＣＳＩ用に用いられるＰＵＣＣＨは図示するものに限られない。
【００８５】
図９Ａに示すように、ＨＡＲＱ−ＡＣＫの送信タイミングがＣＳＩ用のＰＵＣＣＨと衝突しない場合、ユーザ端末は、ＨＡＲＱ−ＡＣＫ用のＰＵＣＣＨ（例えば、ショートＰＵＣＣＨ）とＣＳＩ用のＰＵＣＣＨ（例えば、ロングＰＵＣＣＨ）とを時間分割多重して送信してもよい。
【００８６】
図９Ｂ〜９Ｄに示すように、ＨＡＲＱ−ＡＣＫの送信タイミングがＣＳＩ用のＰＵＣＣＨと衝突する場合、ユーザ端末は、ＨＡＲＱ−ＡＣＫ用のＰＵＣＣＨが開始するタイミングに基づいて、ＨＡＲＱ−ＡＣＫとＣＳＩとの送信を制御してもよい。
【００８７】
図９Ｂに示すように、ＨＡＲＱ−ＡＣＫ用のＰＵＣＣＨ（例えば、ショートＰＵＣＣＨ）がＣＳＩ用のＰＵＣＣＨ（例えば、ロングＰＵＣＣＨ）と同一のタイミングに開始する場合、ユーザ端末は、ＨＡＲＱ−ＡＣＫ及びＣＳＩを同一のチャネル（例えば、ショートＰＵＣＣＨ）に多重して送信してもよい。
【００８８】
図９Ｃに示すように、ＨＡＲＱ−ＡＣＫ用のＰＵＣＣＨ（例えば、ショートＰＵＣＣＨ）がＣＳＩ用のＰＵＣＣＨ（例えば、ロングＰＵＣＣＨ）より前に開始する場合、ユーザ端末は、ＨＡＲＱ−ＡＣＫ用のＰＵＣＣＨ（例えば、ショートＰＵＣＣＨ）を用いてＨＡＲＱ−ＡＣＫを送信し、ＣＳＩをドロップしてもよい。
【００８９】
或いは、図９Ｃにおいて、ユーザ端末は、ＨＡＲＱ−ＡＣＫ及びＣＳＩの双方を送信してもよい。例えば、ＣＳＩがＰ−ＣＳＩである場合、ユーザ端末は、ＨＡＲＱ−ＡＣＫ及びＣＳＩをＨＡＲＱ−ＡＣＫ用のＰＵＣＣＨ（ＨＡＲＱ−ＡＣＫリソース、例えば、ショートＰＵＣＣＨ）を用いて送信してもよい。図９Ｃに示す場合でも、Ｐ−ＣＳＩ用の処理時間は十分であるためである。
【００９０】
図９Ｄに示すように、ＨＡＲＱ−ＡＣＫ用のＰＵＣＣＨ（例えば、ショートＰＵＣＣＨ）がＣＳＩ用のＰＵＣＣＨ（例えば、ロングＰＵＣＣＨ）より後に開始する場合、ユーザ端末は、ＨＡＲＱ−ＡＣＫ用のＰＵＣＣＨ（例えば、ショートＰＵＣＣＨ）の送信を開始する前にＣＳＩをドロップ又はキャンセルし、ＨＡＲＱ−ＡＣＫ用のＰＵＣＣＨを用いてＨＡＲＱ−ＡＣＫを送信してもよい。
【００９１】
或いは、図９Ｄにおいて、ユーザ端末は、ＨＡＲＱ−ＡＣＫ用のＰＵＣＣＨを用いてＨＡＲＱ−ＡＣＫ及びＣＳＩを送信してもよい。
【００９２】
第５の態様では、ＨＡＲＱ−ＡＣＫの送信タイミングがＣＳＩ用のＰＵＣＣＨと衝突する場合にも、ＨＡＲＱ−ＡＣＫ用のＰＵＣＣＨが開始するタイミングに基づいて、ＨＡＲＱ−ＡＣＫとＣＳＩとの送信を適切に制御できる。
【００９３】
（第６の態様）
第６の態様では、ＰＵＣＣＨを用いたＨＡＲＱ−ＡＣＫとＳＲ及びＣＳＩとの送信制御について説明する。図１０は、第６の態様に係るＨＡＲＱ−ＡＣＫ及びＣＳＩの送信制御の一例を示す図である。なお、図１０では、ＨＡＲＱ−ＡＣＫ用のショートＰＵＣＣＨとＣＳＩ用のロングＰＵＣＣＨとＳＲ用のショートＰＵＣＣＨとが示されるが、ＨＡＲＱ−ＡＣＫ、ＣＳＩ、ＳＲ用に用いられるＰＵＣＣＨは図示するものに限られない。
【００９４】
図１０Ａに示すように、ＨＡＲＱ−ＡＣＫの送信タイミングがＣＳＩ又はＳＲ用のＰＵＣＣＨのいずれとも衝突しない場合、ユーザ端末は、ＨＡＲＱ−ＡＣＫ用のＰＵＣＣＨ（例えば、ショートＰＵＣＣＨ）とＣＳＩ用のＰＵＣＣＨ（例えば、ロングＰＵＣＣＨ）とＳＲ用のＰＵＣＣＨ（例えば、ショートＰＵＣＣＨ）を時間分割多重して送信してもよい。
【００９５】
図１０Ｂ〜１０Ｄに示すように、ＨＡＲＱ−ＡＣＫの送信タイミングがＳＲ及びＣＳＩ用のＰＵＣＣＨと衝突する場合、ユーザ端末は、ＨＡＲＱ−ＡＣＫ用のＰＵＣＣＨが開始するタイミングに基づいて、ＨＡＲＱ−ＡＣＫとＳＲ及びＣＳＩとの送信を制御してもよい。
【００９６】
図１０Ｂに示すように、ＨＡＲＱ−ＡＣＫ用のＰＵＣＣＨ（例えば、ショートＰＵＣＣＨ）がＳＲ及びＣＳＩ用のＰＵＣＣＨ（例えば、ロングＰＵＣＣＨ）と同一のタイミングに開始する場合、ユーザ端末は、ＨＡＲＱ−ＡＣＫとＳＲ及びＣＳＩとを同一のチャネル（例えば、ショートＰＵＣＣＨ）に多重して送信してもよい。
【００９７】
図１０Ｃに示すように、ＨＡＲＱ−ＡＣＫ用のＰＵＣＣＨ（例えば、ショートＰＵＣＣＨ）がＣＳＩ用のＰＵＣＣＨ（例えば、ロングＰＵＣＣＨ）より前に開始する場合、ユーザ端末は、ＨＡＲＱ−ＡＣＫ用のＰＵＣＣＨ（例えば、ショートＰＵＣＣＨ）を用いてＨＡＲＱ−ＡＣＫを送信し、ＣＳＩをドロップし、ＳＲの送信を延期してもよい。
【００９８】
図１０Ｄに示すように、ＨＡＲＱ−ＡＣＫ用のＰＵＣＣＨ（例えば、ショートＰＵＣＣＨ）がＣＳＩ用のＰＵＣＣＨ（例えば、ロングＰＵＣＣＨ）より後に開始する場合、ユーザ端末は、ＨＡＲＱ−ＡＣＫ用のＰＵＣＣＨ（例えば、ショートＰＵＣＣＨ）の送信を開始する前にＣＳＩ及びＳＲをドロップ又はキャンセルし、ＨＡＲＱ−ＡＣＫ用のＰＵＣＣＨを用いてＨＡＲＱ−ＡＣＫを送信してもよい。
【００９９】
第６の態様では、ＨＡＲＱ−ＡＣＫの送信タイミングがＳＲ及びＣＳＩ用のＰＵＣＣＨと衝突する場合にも、ＨＡＲＱ−ＡＣＫ用のＰＵＣＣＨが開始するタイミングに基づいて、ＨＡＲＱ−ＡＣＫとＳＲ及びＣＳＩとの送信を適切に制御できる。
【０１００】
（第７の態様）
ユーザ端末は、ＵＣＩの送信に用いられるリソース量（例えば、リソース要素（ＲＥ：Resource  Element）の数）、ＵＣＩのビット数、変調次数に基づいて、ＰＵＣＣＨを用いて送信されるＵＣＩの符号化率を決定してもよい。例えば、ユーザ端末は、下記式１に基づいて、当該符号化率を決定してもよい。
（式１）
符号化率＝（ＵＣＩのビット数）／（ＲＥ数×変調次数）    
【０１０１】
ユーザ端末は、当該計算された符号化率及び予め設定された最大符号化率に基づいて、当該ＵＣＩの少なくとも一部のバンドリング及び／又はドロップを制御してもよい。具体的には、ユーザ端末は、計算された符号化率が最大符号化率を超える場合、ＨＡＲＱ−ＡＣＫの空間バンドリングを行ってもよい。ユーザ端末は、空間バンドリング後に計算された符号化率が依然として最大符号化率を超える場合、当該符号化率が最大符号化率よりも低くなるまで、低い優先度のＣＳＩをドロップしてもよい。
【０１０２】
また、ＨＡＲＱ−ＡＣＫの空間バンドリングとＣＳＩのドロップは、逆の順序で適用されてもよい。すなわち、ユーザ端末は、計算された符号化率が最大符号化率を超える場合、低い優先度のＣＳＩをドロップし、すべてのＣＳＩをドロップしても計算される符号化率が最大符号化率を超える場合、ＨＡＲＱ−ＡＣＫの空間バンドリングを適用してもよい。
【０１０３】
上記最大符号化率は、ＵＣＩ毎にユーザ端末に設定されてもよい。具体的には、最大符号化率は、上記ＵＣＩタイプ毎、上記ＰＵＣＣＨリソース毎、ＰＵＣＣＨフォーマット毎、ＣＳＩタイプ毎又はＣＳＩプロセス毎に設定されてもよいし、これらの少なくとも２つの組み合わせ毎に設定されてもよい。
【０１０４】
ここで、ＣＳＩタイプは、例えば、チャネル品質識別子（ＣＱＩ：Channel  Quality  Indicator）、ランク識別子（ＲＩ：Rank  Indicator）、プリコーディング行列識別子（ＰＭＩ：Precoding  Matrix  Indicator）、ビーム情報（例えば、ＢＩ：Beam  Index）、これらの少なくとも２つの組み合わせ毎に定められてもよい。
【０１０５】
また、ＣＳＩプロセスは、希望信号の測定用リソース（希望信号測定用リソース）及び干渉信号の測定用リソース（干渉信号測定用リソース）の組み合わせ毎に定められる。希望信号測定用リソースは、ＬＴＥにおけるＣＳＩ−ＲＳリソースあるいはＣＳＩ−ＲＳをベースとしたリソース構成でもよいし、別の新しいリソース構成でもよい。干渉信号測定用リソースは、ＬＴＥにおけるＣＳＩ−ＩＭ（CSI  Interference  Measurement）リソースあるいはＣＳＩ−ＩＭをベースとしたリソース構成でもよいし、別の新しいリソース構成でもよい。
【０１０６】
ユーザ端末は、上記ＵＣＩタイプ毎、上記ＰＵＣＣＨリソース毎、ＣＳＩタイプ毎又はＣＳＩプロセス毎に設定されてもよいし、これらの少なくとも２つの組み合わせ毎に、最大符号化率を示す情報を、上位レイヤシグナリングを用いて受信してもよい。
【０１０７】
ＣＳＩとしてフィードバックする情報ビット数が数百ビットに上る場合、ＣＳＩを複数のパート（part、例えば、２パート）に分割する（split  CSI）ことが検討されている。このような制御を行う場合には、各パート毎に最大符号化率が設定されてもよいし、パート間で、優先度が設けられてもよい。ＣＳＩが複数のＣＳＩパートに分割され、優先度が設けられる場合、より高い優先度のＣＳＩを含むＵＣＩビット系列には、ＨＡＲＱ−ＡＣＫ及び／又はＳＲが含まれてもよく、この場合ＨＡＲＱ−ＡＣＫ及びＳＲは結合して符号化（ジョイント符号化）されてもよい。
【０１０８】
複数のＣＳＩパートを異なるＰＵＣＣＨで送信する場合、異なるＰＵＣＣＨが衝突する場合には、前記設定された優先度に基づいてドロップするＰＵＣＣＨを選択してもよい。複数のＣＳＩパートを単一のＰＵＣＣＨで送信する場合、計算された符号化率が最大符号化率を上回る場合には、優先度が高いＣＳＩパートは、優先度が低いＣＳＩパートのＣＳＩが全てドロップされないかぎり、ドロップしないものとしてもよい。
【０１０９】
ＣＳＩの各パートの優先度に応じて、各パートに付加される巡回冗長検査（ＣＲＣ：Cyclic  Redundancy  Check）の長さ（ビット数）は異なってもよい。また、各パートの優先度に応じて、ＰＵＳＣＨにピギーバックされるＵＣＩの符号化に用いられるベータオフセット値は異なってもよい。
【０１１０】
第７の態様では、ＰＵＣＣＨを用いて送信されるＵＣＩの符号化に用いられるパラメータ（例えば、最大符号化率）を適切に制御できる。
【０１１１】
（第８の態様）
第８の態様では、ＰＵＳＣＨがＰＵＣＣＨを用いたＵＣＩと衝突する場合におけるＵＬデータ及び／又はＵＣＩの送信制御について説明する。ユーザ端末は、ＰＵＳＣＨと衝突するＰＵＣＣＨ用のＵＣＩを、ＰＵＳＣＨを用いて送信（ＰＵＳＣＨにピギーバック）してもよい。当該ＰＵＳＣＨを用いたＵＣＩの送信は、ＵＣＩ  ｏｎ  ＰＵＳＣＨ等とも呼ばれてもよい。
【０１１２】
ＵＣＩ用の元の（original）ＰＵＣＣＨの開始タイミングがＰＵＳＣＨの開始タイミングに応じたタイミングＸ０より遅くない（not  later  than）（又は以降でない）場合、ユーザ端末は、当該ＰＵＳＣＨで送信される上りデータをレートマッチングして、当該ＰＵＳＣＨを用いて当該ＵＣＩを送信してもよい。
【０１１３】
ＵＣＩ用の元の（original）ＰＵＣＣＨの開始タイミングがＰＵＳＣＨの開始タイミングに応じたタイミングＸ０より遅い（not  later  than）（又は以降である）場合、ユーザ端末は、当該ＰＵＳＣＨで送信される上りデータをパンクチャして、当該ＰＵＳＣＨを用いて当該ＵＣＩを送信してもよい。
【０１１４】
ＵＣＩ用の元の（original）ＰＵＣＣＨの開始タイミングが所定タイミングＸ１より遅い（又は以降である）場合、ユーザ端末は、当該ＵＣＩをドロップする、又は、当該ＰＵＳＣＨを用いた当該ＵＣＩの送信（ピギーバック）を想定しなくともよい。当該タイミングＸ１は、例えば、ＰＵＳＣＨの開始タイミングから所定期間後であり、上記タイミングＸ０より遅くてもよい。
【０１１５】
当該タイミングＸ１及び／又は当該タイミングＸ０は、予め仕様で定められてもよいし、当該タイミングＸ１及び／又は当該タイミングＸ０を示す情報が、上位レイヤシグナリングにより無線基地局からユーザ端末に通知されてもよい。
【０１１６】
なお、前記「ＵＣＩ用の元の（original）ＰＵＣＣＨの開始タイミング」とは、当該ＵＣＩの送信にあたって、ＰＵＳＣＨがない場合に用いられるＰＵＣＣＨ送信開始タイミングを意味する。この「ＵＣＩ用の元の（original）ＰＵＣＣＨの開始タイミング」は、ＲＲＣ等上位レイヤシグナリングで設定されるか、ＰＤＳＣＨのスケジューリングを行うＤＣＩ、ＳＰＳ／Ｇｒａｎｔ−ｆｒｅｅリソース及び／又はＳＰ−ＣＳＩのアクティベーション／リリースを行うＤＣＩ、及び／又はＡ−ＣＳＩトリガを行うＤＣＩで指定することができる。
【０１１７】
図１１は、第８の態様に係るＵＣＩのＰＵＳＣＨへのピギーバックの一例を示す図である。図１１Ａでは、ＰＵＳＣＨに対する割当リソース（時間及び／又は周波数リソース）の少なくとも一部がロングＰＵＣＣＨと衝突する場合が示される。図１１Ｂでは、ＰＵＳＣＨに対する割当リソース（時間及び／又は周波数リソース）の少なくとも一部がショートＰＵＣＣＨと衝突する場合が示される。
【０１１８】
図１１Ａに示すように、ロングＰＵＣＣＨの開始タイミングがＰＵＳＣＨの開始タイミングと等しい場合、ユーザ端末は、当該ＵＣＩを当該ＰＵＳＣＨにピギーバックしてもよい。図１１Ａにおいて、ユーザ端末は、ＵＣＩをマッピングするＰＵＳＣＨ用のリソース（例えば、リソース要素（ＲＥ：Resource  Element））について、上りデータをパンクチャしてもよいし、レートマッチングしてもよいし、又は、両方を適用してもよい。
【０１１９】
図１１Ｂに示すように、ショートＰＵＣＣＨの開始タイミングがＰＵＳＣＨの開始タイミングから所定期間後のタイミングＸ１より遅くない場合、ユーザ端末は、当該ＵＣＩを当該ＰＵＳＣＨにピギーバックしてもよい。図１１Ｂにおいて、ユーザ端末は、ＵＣＩをマッピングするＰＵＳＣＨ用のリソース（例えば、ＲＥ）について、上りデータをパンクチャしてもよいし、レートマッチングしてもよいし、又は、両方を適用してもよい。
【０１２０】
一方、図１１Ｂに示すように、ショートＰＵＣＣＨの開始タイミングがＰＵＳＣＨの開始タイミングから所定期間後のタイミングＸ１より遅い場合、ユーザ端末は、当該ＵＣＩをドロップしてもよい。
【０１２１】
第８の態様では、ＵＣＩの送信タイミングがＰＵＳＣＨと衝突する場合にも、ＵＣＩのピギーバック及び／又はドロップ、及び／又は、上りデータのレートマッチング及び／又はパンクチャを適切に制御できる。
【０１２２】
（第９の態様）
ユーザ端末は、ＵＣＩをＰＵＳＣＨにピギーバックする場合に、当該ＵＣＩにどのくらいのリソース（例えば、ＲＥ）が必要であるかを知る必要がある。ユーザ端末は、当該リソース量の決定に用いられる情報（ＵＣＩリソース関連情報、ベータオフセット（Beta  offset）、βオフセット、βＯｆｆｓｅｔ）等ともいう）を受信し、当該ベータオフセットに基づいて、ピギーバックされる各ＵＣＩ用のリソース量を制御してもよい。
【０１２３】
第９の態様において、一以上のベータオフセット値をそれぞれ含む一以上のセット（set）が上位レイヤシグナリング（例えば、ＲＲＣシグナリング）によりユーザ端末に設定されてもよい。また、ＤＣＩ（例えば、ＰＵＳＣＨをスケジューリングするＤＣＩ）により、当該セットの一つが指定されてもよい。ユーザ端末は、当該ＤＣＩによりスケジューリングされるＰＵＳＣＨを用いたＵＣＩの送信を、当該セット内のベータオフセット値に基づいて制御する。
【０１２４】
各セットには、ＵＣＩタイプに対応する一以上のベータオフセット値が含まれてもよい。ここで、ＵＣＩタイプは、例えば、ＣＳＩ、ＣＳＩ＋ＨＡＲＱ−ＡＣＫ、ＣＳＩ＋ＳＲ、ＣＳＩ＋ＳＲ＋ＨＡＲＱ−ＡＣＫ、２パートのＣＳＩ（two-part  CSI）などの複数のタイプを有してもよく、これらのＵＣＩタイプに対応する複数のベータオフセット値が各セットに含まれてもよい。
【０１２５】
また、各セットに含まれるベータオフセット値は、ＵＬ波形（例えば、ＤＦＴ拡散ＯＦＤＭ波形、ＯＦＤＭ波形）、ＵＣＩの多重メカニズム（例えば、レートマッチング、パンクチャ）等の少なくとも一つに基づいて定められてもよい。
【０１２６】
上位レイヤシグナリングによりユーザ端末に設定される上記セットの数は、２、４、または８であってもよい。この場合、ＤＣＩ内の１、２、または３ビットで、上記セットの一つが指定されてもよい。
【０１２７】
このように、ユーザ端末は、ＰＵＳＣＨをスケジューリングするＤＣＩ（ＵＬグラント）内の指示情報（例えば、上記セットの一つを示す情報）に基づいて、ＵＣＩ（例えば、ＵＣＩタイプ、ＵＬ波形、ＵＣＩの多重メカニズムの少なくとも一つ）に対応するベータオフセット値を決定し、当該ベータオフセット値に基づいてピギーバックされるＵＣＩのリソース量を決定してもよい。
【０１２８】
第９の態様では、ＰＵＳＣＨを用いて送信されるＵＣＩの符号化に用いられるパラメータ（例えば、ベータオフセット）を適切に制御できる。
【０１２９】
（第１０の態様）
第９の態様では、ＰＵＳＣＨをスケジューリングするＤＣＩに基づいて当該ＰＵＳＣＨを用いたＵＣＩの送信制御に用いられるベータオフセット値（又は、一以上のベータオフセット値のセット）が指定される場合について説明した。第１０の態様では、当該ＤＣＩによって指定されるベータオフセット値（又は、上記セット）が無い場合について説明する。
【０１３０】
ユーザ端末は、ＤＣＩによって指定されるベータオフセットが無い場合、デフォルトのベータオフセット値を使用してもよい。当該デフォルトのベータオフセット値は、ＵＣＩ（例えば、ＵＣＩタイプ、ＵＬ波形、ＵＣＩの多重メカニズムの少なくとも一つ）毎に仕様で定められていてもよいし、上位レイヤシグナリングにより設定されてもよい。
【０１３１】
或いは、ユーザ端末は、ＰＵＳＣＨの性能（performance）に関係なく、ＰＵＳＣＨに割り当てられた全てのリソースがＵＣＩに使用されると想定してもよい。
【０１３２】
（第１１の態様）
第１１の態様では、上り（ＵＬ）のＭＩＭＯ（Multi  Input  Multi  Output）の適用時におけるＵＣＩの送信制御について説明する。上りのＭＩＭＯでは、上りデータの複数のトランスポートブロック（ＴＢ：Transport  Block）がそれぞれ異なるレイヤで送信される。当該レイヤの数はランクとも呼ばれ、ランク識別子（ＲＩ）により当該ランク（レイヤ数）が示される。
【０１３３】
上りのＭＩＭＯ（ＵＬ  ＭＩＭＯ）が適用されるＰＵＳＣＨのスケジューリング用のＤＣＩ（ＵＬ  ＤＣＩ）は、（１）単一のベータオフセット値（又は、一以上のベータオフセット値を含む単一のセット）を示してもよいし、（２）複数のレイヤ（またはＴＢ）それぞれに対応する複数のベータオフセット値（又は、レイヤ毎のセット）を示してもよい。
【０１３４】
（１）上記ＤＣＩが単一のベータオフセット値（又は、単一のセット）を示す場合、ユーザ端末は、当該ＤＣＩによって示される同一のベータオフセット値を複数のＴＢに適用してもよい。
【０１３５】
或いは、ユーザ端末は、単一のＴＢ（例えば、ＴＢ１）に対して当該ＤＣＩによって示されるベータオフセット値を適用し、他のＴＢ（例えば、ＴＢ２）に対して当該ベータオフセット値に所定のオフセット（例えば、デルタオフセット、δオフセット、δｏｆｆｓｅｔ等ともいう）を与えた値を適用してもよい。当該所定のオフセットは、当該他のＴＢのトランスポートブロックサイズ（ＴＢＳ：Transport  Block  Size）、変調符号化方式（ＭＣＳ：Modulation  and  Coding  Scheme）、冗長バージョン（ＲＶ：Redundancy  Version）の少なくとも一つに関連付けられてもよい。
【０１３６】
また、ＵＬ  ＭＩＭＯがＰＵＳＣＨに適用される場合、ユーザ端末は、ＵＣＩを複数のレイヤ（またはＴＢ）に渡って逐次的にマッピングするものとしてもよいし、ＵＣＩを複数レイヤ（またはＴＢ）分コピーし、得られたコピーをレイヤ分（またはＴＢ分）マッピングするものとしてもよい。或いは、ＵＣＩは、より高いＭＣＳの特定のＴＢのレイヤにマッピングされてもよい。
【０１３７】
これらマッピング方法は、ＵＣＩの種別（例えばＨＡＲＱ−ＡＣＫ、ＳＲ、又はＣＳＩ）、ＵＣＩが対応するサービスの種別（例えばｅＭＢＢ、ＵＲＬＬＣなど）、ＵＣＩに対応する元のＰＵＣＣＨフォーマット（たとえばＰＵＣＣＨフォーマット０／１などのショートＰＵＣＣＨフォーマットか、ＰＵＣＣＨフォーマット２／３／４などのロングＰＵＣＣＨフォーマットか、など）で別々に制御するものとしてもよい。
【０１３８】
（無線通信システム）
以下、本実施の形態に係る無線通信システムの構成について説明する。この無線通信システムでは、上記各態様に係る無線通信方法が適用される。なお、上記各態様に係る無線通信方法は、それぞれ単独で適用されてもよいし、少なくとも２つを組み合わせて適用されてもよい。
【０１３９】
図１２は、本実施の形態に係る無線通信システムの概略構成の一例を示す図である。無線通信システム１では、ＬＴＥシステムのシステム帯域幅（例えば、２０ＭＨｚ）を１単位とする複数の基本周波数ブロック（コンポーネントキャリア）を一体としたキャリアアグリゲーション（ＣＡ）及び／又はデュアルコネクティビティ（ＤＣ）を適用することができる。なお、無線通信システム１は、ＳＵＰＥＲ  ３Ｇ、ＬＴＥ−Ａ（ＬＴＥ−Ａｄｖａｎｃｅｄ）、ＩＭＴ−Ａｄｖａｎｃｅｄ、４Ｇ、５Ｇ、ＦＲＡ（Future  Radio  Access）、ＮＲ（New  RAT：New  Radio  Access  Technology）などと呼ばれても良い。
【０１４０】
図１２に示す無線通信システム１は、マクロセルＣ１を形成する無線基地局１１と、マクロセルＣ１内に配置され、マクロセルＣ１よりも狭いスモールセルＣ２を形成する無線基地局１２ａ〜１２ｃとを備えている。また、マクロセルＣ１及び各スモールセルＣ２には、ユーザ端末２０が配置されている。セル間及び／又はセル内で異なるニューメロロジーが適用される構成としてもよい。
【０１４１】
ここで、ニューメロロジーとは、周波数方向及び／又は時間方向における通信パラメータ（例えば、サブキャリアの間隔（サブキャリア間隔）、帯域幅、シンボル長、ＣＰの時間長（ＣＰ長）、サブフレーム長、ＴＴＩの時間長（ＴＴＩ長）、ＴＴＩあたりのシンボル数、無線フレーム構成、フィルタリング処理、ウィンドウイング処理などの少なくとも一つ）である。無線通信システム１では、例えば、１５ｋＨｚ、３０ｋＨｚ、６０ｋＨｚ、１２０ｋＨｚ、２４０ｋＨｚなどのサブキャリア間隔がサポートされてもよい。
【０１４２】
ユーザ端末２０は、無線基地局１１及び無線基地局１２の双方に接続することができる。ユーザ端末２０は、異なる周波数を用いるマクロセルＣ１とスモールセルＣ２を、ＣＡ又はＤＣにより同時に使用することが想定される。また、ユーザ端末２０は、複数のセル（ＣＣ）（例えば、２個以上のＣＣ）を用いてＣＡ又はＤＣを適用することができる。また、ユーザ端末は、複数のセルとしてライセンスバンドＣＣとアンライセンスバンドＣＣを利用することができる。
【０１４３】
また、ユーザ端末２０は、各セルで、時分割複信（ＴＤＤ：Time  Division  Duplex）又は周波数分割複信（ＦＤＤ：Frequency  Division  Duplex）を用いて通信を行うことができる。ＴＤＤのセル、ＦＤＤのセルは、それぞれ、ＴＤＤキャリア（フレーム構成タイプ２）、ＦＤＤキャリア（フレーム構成タイプ１）等と呼ばれてもよい。
【０１４４】
また、各セル（キャリア）では、単一のニューメロロジーが適用されてもよいし、複数の異なるニューメロロジーが適用されてもよい。
【０１４５】
ユーザ端末２０と無線基地局１１との間は、相対的に低い周波数帯域（例えば、２ＧＨｚ）で帯域幅が狭いキャリア（既存キャリア、Legacy  carrierなどと呼ばれる）を用いて通信を行うことができる。一方、ユーザ端末２０と無線基地局１２との間は、相対的に高い周波数帯域（例えば、３．５ＧＨｚ、５ＧＨｚ、３０〜７０ＧＨｚなど）で帯域幅が広いキャリアが用いられてもよいし、無線基地局１１との間と同じキャリアが用いられてもよい。なお、各無線基地局が利用する周波数帯域の構成はこれに限られない。
【０１４６】
無線基地局１１と無線基地局１２との間（又は、２つの無線基地局１２間）は、有線接続（例えば、ＣＰＲＩ（Common  Public  Radio  Interface）に準拠した光ファイバ、Ｘ２インターフェースなど）又は無線接続する構成とすることができる。
【０１４７】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【０１４８】
なお、無線基地局１１は、相対的に広いカバレッジを有する無線基地局であり、マクロ基地局、集約ノード、ｅＮＢ（eNodeB）、ｇＮＢ（gNodeB）、送受信ポイント（ＴＲＰ）、などと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、ｅＮＢ、ｇＮＢ、送受信ポイントなどと呼ばれてもよい。以下、無線基地局１１及び１２を区別しない場合は、無線基地局１０と総称する。
【０１４９】
各ユーザ端末２０は、ＬＴＥ、ＬＴＥ−Ａ、５Ｇ、ＮＲなどの各種通信方式に対応した端末であり、移動通信端末だけでなく固定通信端末を含んでもよい。また、ユーザ端末２０は、他のユーザ端末２０との間で端末間通信（Ｄ２Ｄ）を行うことができる。
【０１５０】
無線通信システム１においては、無線アクセス方式として、下りリンク（ＤＬ）にＯＦＤＭＡ（直交周波数分割多元接続）が適用でき、上りリンク（ＵＬ）にＳＣ−ＦＤＭＡ（シングルキャリア−周波数分割多元接続）が適用できる。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限られず、ＵＬでＯＦＤＭＡが用いられてもよい。
【０１５１】
また、無線通信システム１では、マルチキャリア波形（例えば、ＯＦＤＭ波形）が用いられてもよいし、シングルキャリア波形（例えば、ＤＦＴ−ｓ−ＯＦＤＭ波形）が用いられてもよい。
【０１５２】
無線通信システム１では、下り（ＤＬ）チャネルとして、各ユーザ端末２０で共有されるＤＬ共有チャネル（ＰＤＳＣＨ：Physical  Downlink  Shared  Channel、下りデータチャネル等ともいう）、ブロードキャストチャネル（ＰＢＣＨ：Physical  Broadcast  Channel）、Ｌ１／Ｌ２制御チャネルなどが用いられる。ＰＤＳＣＨにより、ユーザデータや上位レイヤ制御情報、ＳＩＢ（System  Information  Block）などが伝送される。また、ＰＢＣＨにより、ＭＩＢ（Master  Information  Block）が伝送される。
【０１５３】
Ｌ１／Ｌ２制御チャネルは、下り制御チャネル（ＰＤＣＣＨ（Physical  Downlink  Control  Channel）、ＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＥＰＤＣＣＨは、ＰＤＳＣＨと周波数分割多重され、ＰＤＣＣＨと同様にＤＣＩなどの伝送に用いられる。ＰＨＩＣＨ、ＰＤＣＣＨ、ＥＰＤＣＣＨの少なくとも一つにより、ＰＵＳＣＨに対するＨＡＲＱの再送制御情報（ＡＣＫ／ＮＡＣＫ）を伝送できる。
【０１５４】
無線通信システム１では、上り（ＵＬ）チャネルとして、各ユーザ端末２０で共有される上り共有チャネル（ＰＵＳＣＨ：Physical  Uplink  Shared  Channel、上りデータチャネル等ともいう）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータ、上位レイヤ制御情報が伝送される。下り（ＤＬ）信号の再送制御情報（Ａ／Ｎ）やチャネル状態情報（ＣＳＩ）などの少なくとも一つを含む上り制御情報（ＵＣＩ：Uplink  Control  Information）は、ＰＵＳＣＨ又はＰＵＣＣＨにより、伝送される。ＰＲＡＣＨにより、セルとの接続確立のためのランダムアクセスプリアンブルを伝送できる。
【０１５５】
＜無線基地局＞
図１３は、本実施の形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６とを備えている。なお、送受信アンテナ１０１、アンプ部１０２、送受信部１０３は、それぞれ１つ以上を含むように構成されてもよい。
【０１５６】
下りリンクで無線基地局１０からユーザ端末２０に送信されるユーザデータは、上位局装置３０から伝送路インターフェース１０６を介してベースバンド信号処理部１０４に入力される。
【０１５７】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（例えば、ＨＡＲＱ（Hybrid  Automatic  Repeat  reQuest）の送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。また、下り制御信号に関しても、チャネル符号化や逆高速フーリエ変換などの送信処理が行われて、送受信部１０３に転送される。
【０１５８】
送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。
【０１５９】
本発明に係る技術分野での共通認識に基づいて説明されるトランスミッター／レシーバー、送受信回路又は送受信装置から構成することができる。なお、送受信部１０３は、一体の送受信部として構成されてもよいし、送信部及び受信部から構成されてもよい。
【０１６０】
一方、上り（ＵＬ）信号については、送受信アンテナ１０１で受信された無線周波数信号がアンプ部１０２で増幅される。送受信部１０３はアンプ部１０２で増幅されたＵＬ信号を受信する。送受信部１０３は、受信信号をベースバンド信号に周波数変換して、ベースバンド信号処理部１０４に出力する。
【０１６１】
ベースバンド信号処理部１０４では、入力されたＵＬ信号に含まれるＵＬデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ及びＰＤＣＰレイヤの受信処理がなされ、伝送路インターフェース１０６を介して上位局装置３０に転送される。呼処理部１０５は、通信チャネルの設定や解放などの呼処理や、無線基地局１０の状態管理や、無線リソースの管理を行う。
【０１６２】
伝送路インターフェース１０６は、所定のインターフェースを介して、上位局装置３０と信号を送受信する。また、伝送路インターフェース１０６は、基地局間インターフェース（例えば、ＣＰＲＩ（Common  Public  Radio  Interface）に準拠した光ファイバ、Ｘ２インターフェース）を介して隣接無線基地局１０と信号を送受信（バックホールシグナリング）してもよい。
【０１６３】
また、送受信部１０３は、ユーザ端末２０に対して下り（ＤＬ）信号（ＤＬデータ信号、ＤＬ制御信号、ＤＬ参照信号の少なくとも一つを含む）を送信し、当該ユーザ端末２０からの上り（ＵＬ）信号（ＵＬデータ信号、ＵＬ制御信号、ＵＬ参照信号の少なくとも一つを含む）を受信する。
【０１６４】
また、送受信部１０３は、上りデータチャネル（例えば、ＰＵＳＣＨ）又は上り制御チャネル（例えば、ショートＰＵＣＣＨ及び／又はロングＰＵＣＣＨ）を用いて、ユーザ端末２０からのＵＣＩを受信する。当該ＵＣＩは、下りデータチャネル（例えば、ＰＤＳＣＨ）のＨＡＲＱ−ＡＣＫ、ＣＳＩ、ＳＲ、ビームの識別情報（例えば、ビームインデックス（ＢＩ））、バッファステータスレポート（ＢＳＲ）の少なくとも一つを含んでもよい。
【０１６５】
また、送受信部１０３は、上位レイヤシグナリングによる制御情報（上位レイヤ制御情報）及び物理レイヤシグナリングによる下り制御情報（ＤＣＩ）を送信する。具体的には、送受信部１０３は、ＰＵＣＣＨリソースを示す構成情報（第１、第３、第７の態様）、ＰＵＣＣＨフォーマット及び／又は期間（長さ、例えば、ロング又はショート）とＳＲとの関連付けを示す情報（第２の態様）、Ｐ−ＣＳＩとＰＵＣＣＨフォーマットとの関連付けを示す情報（第３の態様）、タイミングＸ０及び／又はＸ１を示す情報（第８の態様）、最大符号化率を示す情報（第７の態様）、ベータオフセットに関する情報（第９−１１の態様）の少なくとも一つを、物理レイヤシグナリング（Ｌ１シグナリング）及び／又は上位レイヤシグナリングにより送信してもよい。
【０１６６】
図１４は、本実施の形態に係る無線基地局の機能構成の一例を示す図である。なお、図１４は、本実施の形態における特徴部分の機能ブロックを主に示しており、無線基地局１０は、無線通信に必要な他の機能ブロックも有しているものとする。図１４に示すように、ベースバンド信号処理部１０４は、制御部３０１と、送信信号生成部３０２と、マッピング部３０３と、受信信号処理部３０４と、測定部３０５とを備えている。
【０１６７】
制御部３０１は、無線基地局１０全体の制御を実施する。制御部３０１は、例えば、送信信号生成部３０２によるＤＬ信号の生成や、マッピング部３０３によるＤＬ信号のマッピング、受信信号処理部３０４によるＵＬ信号の受信処理（例えば、復調など）、測定部３０５による測定を制御する。
【０１６８】
具体的には、制御部３０１は、ユーザ端末２０のスケジューリングを行う。具体的には、制御部３０１は、ユーザ端末２０からのＵＣＩ（例えば、ＣＳＩ及び／又はＢＩ）に基づいて、下りデータチャネル及び／又は上りデータチャネルのスケジューリング及び／又は再送制御を行ってもよい。
【０１６９】
また、制御部３０１は、上り制御チャネル（例えば、ロングＰＵＣＣＨ及び／又はショートＰＵＣＣＨ）の構成（フォーマット）を制御し、当該上り制御チャネルに関する制御情報を送信するよう制御してもよい。
【０１７０】
また、制御部３０１は、第１及び第２の上り制御チャネル（例えば、ロングＰＵＣＣＨ及びショートＰＵＣＣＨ）におけるＵＣＩの符号化率（例えば、最大符号化率）を制御し、最大符号化率を示す情報の送信を制御してもよい。
【０１７１】
また、制御部３０１は、ＰＵＣＣＨリソースを制御してもよい。
【０１７２】
制御部３０１は、上り制御チャネルのフォーマットに基づいて、ユーザ端末２０からのＵＣＩの受信処理を行うように、受信信号処理部３０４を制御してもよい。
【０１７３】
制御部３０１は、本発明に係る技術分野での共通認識に基づいて説明されるコントローラ、制御回路又は制御装置から構成することができる。
【０１７４】
送信信号生成部３０２は、制御部３０１からの指示に基づいて、ＤＬ信号（ＤＬデータ信号、ＤＬ制御信号、ＤＬ参照信号を含む）を生成して、マッピング部３０３に出力する。
【０１７５】
送信信号生成部３０２は、本発明に係る技術分野での共通認識に基づいて説明される信号生成器、信号生成回路又は信号生成装置とすることができる。
【０１７６】
マッピング部３０３は、制御部３０１からの指示に基づいて、送信信号生成部３０２で生成されたＤＬ信号を、所定の無線リソースにマッピングして、送受信部１０３に出力する。マッピング部３０３は、本発明に係る技術分野での共通認識に基づいて説明されるマッパー、マッピング回路又はマッピング装置とすることができる。
【０１７７】
受信信号処理部３０４は、ユーザ端末２０から送信されるＵＬ信号（例えば、ＵＬデータ信号、ＵＬ制御信号、ＵＬ参照信号を含む）に対して、受信処理（例えば、デマッピング、復調、復号など）を行う。具体的には、受信信号処理部３０４は、受信信号や、受信処理後の信号を、測定部３０５に出力してもよい。また、受信信号処理部３０４は、制御部３０１から指示される上り制御チャネル構成に基づいて、ＵＣＩの受信処理を行う。
【０１７８】
測定部３０５は、受信した信号に関する測定を実施する。測定部３０５は、本発明に係る技術分野での共通認識に基づいて説明される測定器、測定回路又は測定装置から構成することができる。
【０１７９】
測定部３０５は、例えば、ＵＬ参照信号の受信電力（例えば、ＲＳＲＰ（Reference  Signal  Received  Power））及び／又は受信品質（例えば、ＲＳＲＱ（Reference  Signal  Received  Quality））に基づいて、ＵＬのチャネル品質を測定してもよい。測定結果は、制御部３０１に出力されてもよい。
【０１８０】
＜ユーザ端末＞
図１５は、本実施の形態に係るユーザ端末の全体構成の一例を示す図である。ユーザ端末２０は、ＭＩＭＯ伝送のための複数の送受信アンテナ２０１と、アンプ部２０２と、送受信部２０３と、ベースバンド信号処理部２０４と、アプリケーション部２０５と、を備えている。
【０１８１】
複数の送受信アンテナ２０１で受信された無線周波数信号は、それぞれアンプ部２０２で増幅される。各送受信部２０３はアンプ部２０２で増幅されたＤＬ信号を受信する。送受信部２０３は、受信信号をベースバンド信号に周波数変換して、ベースバンド信号処理部２０４に出力する。
【０１８２】
ベースバンド信号処理部２０４は、入力されたベースバンド信号に対して、ＦＦＴ処理や、誤り訂正復号、再送制御の受信処理などを行う。ＤＬデータは、アプリケーション部２０５に転送される。アプリケーション部２０５は、物理レイヤやＭＡＣレイヤより上位のレイヤに関する処理などを行う。また、ブロードキャスト情報もアプリケーション部２０５に転送される。
【０１８３】
一方、上り（ＵＬ）データについては、アプリケーション部２０５からベースバンド信号処理部２０４に入力される。ベースバンド信号処理部２０４では、再送制御の送信処理（例えば、ＨＡＲＱの送信処理）や、チャネル符号化、レートマッチング、パンクチャ、離散フーリエ変換（ＤＦＴ：Discrete  Fourier  Transform）処理、ＩＦＦＴ処理などが行われて各送受信部２０３に転送される。ＵＣＩについても、チャネル符号化、レートマッチング、パンクチャ、ＤＦＴ処理、ＩＦＦＴ処理の少なくとも一つが行われて各送受信部２０３に転送される。
【０１８４】
送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１８５】
また、送受信部２０３は、ユーザ端末２０に設定されたニューメロロジーの下り（ＤＬ）信号（ＤＬデータ信号、ＤＬ制御信号、ＤＬ参照信号を含む）を受信し、当該ニューメロロジーのＵＬ信号（ＵＬデータ信号、ＵＬ制御信号、ＵＬ参照信号を含む）を送信する。
【０１８６】
また、送受信部２０３は、上りデータチャネル（例えば、ＰＵＳＣＨ）又は上り制御チャネル（例えば、ショートＰＵＣＣＨ及び／又はロングＰＵＣＣＨ）を用いて、無線基地局１０に対して、ＵＣＩを送信する。
【０１８７】
また、送受信部２０３は、上位レイヤシグナリングによる制御情報（上位レイヤ制御情報）及び物理レイヤシグナリングによる下り制御情報（ＤＣＩ）を受信する。具体的には、送受信部２０３は、ＰＵＣＣＨリソースを示す構成情報（第１、第３、第７の態様）、ＰＵＣＣＨフォーマット及び／又は期間（長さ、例えば、ロング又はショート）とＳＲとの関連付けを示す情報（第２の態様）、Ｐ−ＣＳＩとＰＵＣＣＨフォーマットとの関連付けを示す情報（第３の態様）、タイミングＸ０及び／又はＸ１を示す情報（第８の態様）、最大符号化率を示す情報（第７の態様）、ベータオフセットに関する情報（第９−１１の態様）の少なくとも一つを、物理レイヤシグナリング（Ｌ１シグナリング）及び／又は上位レイヤシグナリングにより受信してもよい。
【０１８８】
送受信部２０３は、本発明に係る技術分野での共通認識に基づいて説明されるトランスミッター／レシーバー、送受信回路又は送受信装置とすることができる。また、送受信部２０３は、一体の送受信部として構成されてもよいし、送信部及び受信部から構成されてもよい。
【０１８９】
図１６は、本実施の形態に係るユーザ端末の機能構成の一例を示す図である。なお、図１６においては、本実施の形態における特徴部分の機能ブロックを主に示しており、ユーザ端末２０は、無線通信に必要な他の機能ブロックも有しているものとする。図１６に示すように、ユーザ端末２０が有するベースバンド信号処理部２０４は、制御部４０１と、送信信号生成部４０２と、マッピング部４０３と、受信信号処理部４０４と、測定部４０５と、を備えている。
【０１９０】
制御部４０１は、ユーザ端末２０全体の制御を実施する。制御部４０１は、例えば、送信信号生成部４０２によるＵＬ信号の生成や、マッピング部４０３によるＵＬ信号のマッピング、受信信号処理部４０４によるＤＬ信号の受信処理、測定部４０５による測定を制御する。
【０１９１】
また、制御部４０１は、無線基地局１０からの明示的指示又はユーザ端末２０における黙示的決定に基づいて、ユーザ端末２０からのＵＣＩの送信に用いる上り制御チャネルを制御する。
【０１９２】
また、制御部４０１は、上り制御チャネル（例えば、ロングＰＵＣＣＨ及び／又はショートＰＵＣＣＨ）の構成（フォーマット）を制御してもよい。制御部４０１は、無線基地局１０からの制御情報に基づいて、当該上り制御チャネルのフォーマットを制御してもよい。
【０１９３】
また、制御部４０１は、無線基地局１０から通知される最大符号化率に基づいて、当該ＵＣＩの送信を制御してもよい。
【０１９４】
また、制御部４０１は、第１の上り制御チャネル（ショートＰＵＣＣＨ）と第２の上り制御チャネル（ロングＰＵＣＣＨ）とが一以上のスロット内で時間分割多重される場合、ＵＣＩの送信を制御してもよい。
【０１９５】
制御部４０１は、ＰＤＳＣＨのスケジューリングに用いられる下り制御情報（ＤＣＩ）又は当該ＰＤＳＣＨのスケジューリングに基づいて、ＨＡＲＱ−ＡＣＫ（再送制御情報）の送信に用いる上り制御チャネルを決定してもよい（第１の態様）。
【０１９６】
制御部４０１は、上位レイヤシグナリングに基づいて、ＳＲ（スケジューリング要求）の送信に用いる上り制御チャネルを決定してもよい（第２の態様）。
【０１９７】
制御部４０１は、ＣＳＩの報告のトリガ情報を含む下り制御情報（ＤＣＩ）又は上位レイヤシグナリングに基づいて、ＣＳＩ（チャネル状態情報）の送信に用いる上り制御チャネルを決定してもよい（第３の態様）。
【０１９８】
制御部４０１は、ＨＡＲＱ−ＡＣＫ（再送制御情報）の送信タイミングがＳＲ用の上り制御チャネル及び／又はＣＳＩ用の上り制御チャネルと衝突しない場合、当該ＨＡＲＱ−ＡＣＫ用の上り制御チャネルと、ＳＲ用の上り制御チャネル及び／又はＣＳＩ用の上り制御チャネルとを時間分割多重してもよい（第４〜６の態様）。
【０１９９】
制御部４０１は、ＨＡＲＱ−ＡＣＫ（再送制御情報）の送信タイミングがＳＲの上り制御チャネル及び／又はＣＳＩ用の上り制御チャネルと衝突する場合、ＨＡＲＱ−ＡＣＫ用の上り制御チャネルが開始するタイミングに基づいて、ＨＡＲＱ−ＡＣＫとＳＲ及び／又はＣＳＩとの送信を制御してもよい（第４〜６の態様）。
【０２００】
制御部４０１は、ＵＣＩ用の上り制御チャネルがＰＵＳＣＨ（上りデータチャネル）に対する割当リソースの少なくとも一部と重複する場合、上り制御チャネルの開始タイミングに基づいて、ＰＵＳＣＨのレートマッチング及び／又はレートマッチング、及び／又は、前記ＵＣＩの少なくとも一部のドロップを制御してもよい（第８の態様）。
【０２０１】
制御部４０１は、無線基地局１０から通知される最大符号化率に基づいて、ＵＣＩの符号化を制御してもよい（第７の態様）。
【０２０２】
また、制御部４０１は、無線基地局１０から通知されるベータオフセット値又はデフォルトのベータオフセット値に基づいて、ＰＵＳＣＨを用いて送信されるＵＣＩの符号化を制御してもよい（第９、１０の態様）。
【０２０３】
また、制御部４０１は、複数のレイヤの上りデータがＰＵＳＣＨで送信される場合、当該ＰＵＳＣＨを用いて送信されるＵＣＩの符号化及び／又はマッピングを制御してもよい（第１１の態様）。
【０２０４】
また、制御部４０１は、上位レイヤシグナリング及び／又は下り制御情報に基づいて、ＰＵＣＣＨフォーマットで用いられるＰＵＣＣＨリソースを決定してもよい。
【０２０５】
制御部４０１は、ＰＵＣＣＨフォーマットに基づいて、ＵＣＩの送信処理を行うように、送信信号生成部４０２、マッピング部４０３、送受信部２０３の少なくとも一つを制御してもよい。
【０２０６】
制御部４０１は、本発明に係る技術分野での共通認識に基づいて説明されるコントローラ、制御回路又は制御装置から構成することができる。
【０２０７】
送信信号生成部４０２は、制御部４０１からの指示に基づいて、ＵＬ信号（ＵＬデータ信号、ＵＬ制御信号、ＵＬ参照信号、ＵＣＩを含む）を生成（例えば、符号化、レートマッチング、パンクチャ、変調など）して、マッピング部４０３に出力する。送信信号生成部４０２は、本発明に係る技術分野での共通認識に基づいて説明される信号生成器、信号生成回路又は信号生成装置とすることができる。
【０２０８】
マッピング部４０３は、制御部４０１からの指示に基づいて、送信信号生成部４０２で生成されたＵＬ信号を無線リソースにマッピングして、送受信部２０３へ出力する。マッピング部４０３は、本発明に係る技術分野での共通認識に基づいて説明されるマッパー、マッピング回路又はマッピング装置とすることができる。
【０２０９】
受信信号処理部４０４は、ＤＬ信号（ＤＬデータ信号、スケジューリング情報、ＤＬ制御信号、ＤＬ参照信号）に対して、受信処理（例えば、デマッピング、復調、復号など）を行う。受信信号処理部４０４は、無線基地局１０から受信した情報を、制御部４０１に出力する。受信信号処理部４０４は、例えば、報知情報、システム情報、ＲＲＣシグナリングなどの上位レイヤシグナリングによる上位レイヤ制御情報、物理レイヤ制御情報（Ｌ１／Ｌ２制御情報）などを、制御部４０１に出力する。
【０２１０】
受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０２１１】
測定部４０５は、無線基地局１０からの参照信号（例えば、ＣＳＩ−ＲＳ）に基づいて、チャネル状態を測定し、測定結果を制御部４０１に出力する。なお、チャネル状態の測定は、ＣＣ毎に行われてもよい。
【０２１２】
測定部４０５は、本発明に係る技術分野での共通認識に基づいて説明される信号処理器、信号処理回路又は信号処理装置、並びに、測定器、測定回路又は測定装置から構成することができる。
【０２１３】
＜ハードウェア構成＞
なお、上記実施形態の説明に用いたブロック図は、機能単位のブロックを示している。これらの機能ブロック（構成部）は、ハードウェア及び／又はソフトウェアの任意の組み合わせによって実現される。また、各機能ブロックの実現方法は特に限定されない。すなわち、各機能ブロックは、物理的及び／又は論理的に結合した１つの装置を用いて実現されてもよいし、物理的及び／又は論理的に分離した２つ以上の装置を直接的及び／又は間接的に（例えば、有線及び／又は無線を用いて）接続し、これら複数の装置を用いて実現されてもよい。
【０２１４】
例えば、本発明の一実施形態における無線基地局、ユーザ端末などは、本発明の無線通信方法の処理を行うコンピュータとして機能してもよい。図１７は、本実施の形態に係る無線基地局及びユーザ端末のハードウェア構成の一例を示す図である。上述の無線基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２１５】
なお、以下の説明では、「装置」という文言は、回路、デバイス、ユニットなどに読み替えることができる。無線基地局１０及びユーザ端末２０のハードウェア構成は、図に示した各装置を１つ又は複数含むように構成されてもよいし、一部の装置を含まずに構成されてもよい。
【０２１６】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、１以上のプロセッサによって実行されてもよい。なお、プロセッサ１００１は、１以上のチップによって実装されてもよい。
【０２１７】
無線基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び／又は書き込みを制御したりすることによって実現される。
【０２１８】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述のベースバンド信号処理部１０４（２０４）、呼処理部１０５などは、プロセッサ１００１によって実現されてもよい。
【０２１９】
また、プロセッサ１００１は、プログラム（プログラムコード）、ソフトウェアモジュール、データなどを、ストレージ１００３及び／又は通信装置１００４からメモリ１００２に読み出し、これらに従って各種の処理を実行する。プログラムとしては、上述の実施形態において説明した動作の少なくとも一部をコンピュータに実行させるプログラムが用いられる。例えば、ユーザ端末２０の制御部４０１は、メモリ１００２に格納され、プロセッサ１００１において動作する制御プログラムによって実現されてもよく、他の機能ブロックについても同様に実現されてもよい。
【０２２０】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本発明の一実施形態に係る無線通信方法を実施するために実行可能なプログラム（プログラムコード）、ソフトウェアモジュールなどを保存することができる。
【０２２１】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２２２】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び／又は時分割複信（ＴＤＤ：Time  Division  Duplex）を実現するために、高周波スイッチ、デュプレクサ、フィルタ、周波数シンセサイザなどを含んで構成されてもよい。例えば、上述の送受信アンテナ１０１（２０１）、アンプ部１０２（２０２）、送受信部１０３（２０３）、伝送路インターフェース１０６などは、通信装置１００４によって実現されてもよい。
【０２２３】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０２２４】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２２５】
また、無線基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０２２６】
（変形例）
なお、本明細書において説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０２２７】
また、無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジーに依存しない固定の時間長（例えば、１ｍｓ）であってもよい。
【０２２８】
さらに、スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。また、スロットは、複数のミニスロットを含んでもよい。各ミニスロットは、時間領域において１つ又は複数のシンボルによって構成されてもよい。また、ミニスロットは、サブスロットと呼ばれてもよい。
【０２２９】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。例えば、１サブフレームは送信時間間隔（ＴＴＩ：Transmission  Time  Interval）と呼ばれてもよいし、複数の連続したサブフレームがＴＴＩと呼ばれてよいし、１スロット又は１ミニスロットがＴＴＩと呼ばれてもよい。つまり、サブフレーム及び／又はＴＴＩは、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０２３０】
ここで、ＴＴＩは、例えば、無線通信におけるスケジューリングの最小時間単位のことをいう。例えば、ＬＴＥシステムでは、無線基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０２３１】
ＴＴＩは、チャネル符号化されたデータパケット（トランスポートブロック）、コードブロック、及び／又はコードワードの送信時間単位であってもよいし、スケジューリング、リンクアダプテーションなどの処理単位となってもよい。なお、ＴＴＩが与えられたとき、実際にトランスポートブロック、コードブロック、及び／又はコードワードがマッピングされる時間区間（例えば、シンボル数）は、当該ＴＴＩよりも短くてもよい。
【０２３２】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２３３】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、又はロングサブフレームなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、又は、サブスロットなどと呼ばれてもよい。
【０２３４】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２３５】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームは、それぞれ１つ又は複数のリソースブロックによって構成されてもよい。なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２３６】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２３７】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２３８】
また、本明細書において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２３９】
本明細書においてパラメータなどに使用する名称は、いかなる点においても限定的な名称ではない。例えば、様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２４０】
本明細書において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２４１】
また、情報、信号などは、上位レイヤから下位レイヤ、及び／又は下位レイヤから上位レイヤへ出力され得る。情報、信号などは、複数のネットワークノードを介して入出力されてもよい。
【０２４２】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２４３】
情報の通知は、本明細書において説明した態様／実施形態に限られず、他の方法を用いて行われてもよい。例えば、情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２４４】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。また、ＭＡＣシグナリングは、例えば、ＭＡＣ制御要素（ＭＡＣ  ＣＥ（Control  Element））を用いて通知されてもよい。
【０２４５】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２４６】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２４７】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２４８】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び／又は無線技術（赤外線、マイクロ波など）を使用してウェブサイト、サーバ、又は他のリモートソースから送信される場合、これらの有線技術及び／又は無線技術は、伝送媒体の定義内に含まれる。
【０２４９】
本明細書において使用する「システム」及び「ネットワーク」という用語は、互換的に使用され得る。
【０２５０】
本明細書においては、「基地局（ＢＳ：Base  Station）」、「無線基地局」、「ｅＮＢ」、「ｇＮＢ」、「セル」、「セクタ」、「セルグループ」、「キャリア」及び「コンポーネントキャリア」という用語は、互換的に使用され得る。基地局は、固定局（fixed  station）、ＮｏｄｅＢ、ｅＮｏｄｅＢ（ｅＮＢ）、アクセスポイント（access  point）、送信ポイント、受信ポイント、送受信ポイント、フェムトセル、スモールセルなどの用語で呼ばれる場合もある。
【０２５１】
基地局は、１つ又は複数（例えば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び／又は基地局サブシステムのカバレッジエリアの一部又は全体を指す。
【０２５２】
本明細書においては、「移動局（ＭＳ：Mobile  Station）」、「ユーザ端末（user  terminal）」、「ユーザ装置（ＵＥ：User  Equipment）」及び「端末」という用語は、互換的に使用され得る。
【０２５３】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２５４】
基地局及び／又は移動局は、送信装置、受信装置などと呼ばれてもよい。
【０２５５】
また、本明細書における無線基地局は、ユーザ端末で読み替えてもよい。例えば、無線基地局及びユーザ端末間の通信を、複数のユーザ端末間（Ｄ２Ｄ：Device-to-Device）の通信に置き換えた構成について、本発明の各態様／実施形態を適用してもよい。この場合、上述の無線基地局１０が有する機能をユーザ端末２０が有する構成としてもよい。また、「上り」及び「下り」などの文言は、「サイド」と読み替えられてもよい。例えば、上りチャネルは、サイドチャネルと読み替えられてもよい。
【０２５６】
同様に、本明細書におけるユーザ端末は、無線基地局で読み替えてもよい。この場合、上述のユーザ端末２０が有する機能を無線基地局１０が有する構成としてもよい。
【０２５７】
本明細書において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２５８】
本明細書において説明した各態様／実施形態は単独で用いてもよいし、組み合わせて用いてもよいし、実行に伴って切り替えて用いてもよい。また、本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０２５９】
本明細書において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム及び／又はこれらに基づいて拡張された次世代システムに適用されてもよい。
【０２６０】
本明細書において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２６１】
本明細書において使用する「第１の」、「第２の」などの呼称を使用した要素へのいかなる参照も、それらの要素の量又は順序を全般的に限定しない。これらの呼称は、２つ以上の要素間を区別する便利な方法として本明細書において使用され得る。したがって、第１及び第２の要素の参照は、２つの要素のみが採用され得ること又は何らかの形で第１の要素が第２の要素に先行しなければならないことを意味しない。
【０２６２】
本明細書において使用する「判断（決定）（determining）」という用語は、多種多様な動作を包含する場合がある。例えば、「判断（決定）」は、計算（calculating）、算出（computing）、処理（processing）、導出（deriving）、調査（investigating）、探索（looking  up）（例えば、テーブル、データベース又は別のデータ構造での探索）、確認（ascertaining）などを「判断（決定）」することであるとみなされてもよい。また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２６３】
本明細書において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」と読み替えられてもよい。
【０２６４】
本明細書において、２つの要素が接続される場合、１又はそれ以上の電線、ケーブル及び／又はプリント電気接続を用いて、並びにいくつかの非限定的かつ非包括的な例として、無線周波数領域、マイクロ波領域及び／又は光（可視及び不可視の両方）領域の波長を有する電磁エネルギーなどを用いて、互いに「接続」又は「結合」されると考えることができる。
【０２６５】
本明細書において、「ＡとＢが異なる」という用語は、「ＡとＢが互いに異なる」ことを意味してもよい。「離れる」、「結合される」などの用語も同様に解釈されてもよい。
【０２６６】
本明細書又は請求の範囲において、「含む（including）」、「含んでいる（comprising）」、及びそれらの変形が使用されている場合、これらの用語は、用語「備える」と同様に、包括的であることが意図される。さらに、本明細書あるいは請求の範囲において使用されている用語「又は（or）」は、排他的論理和ではないことが意図される。
【０２６７】
以上、本発明について詳細に説明したが、当業者にとっては、本発明が本明細書中に説明した実施形態に限定されないということは明らかである。本発明は、請求の範囲の記載に基づいて定まる本発明の趣旨及び範囲を逸脱することなく修正及び変更態様として実施することができる。したがって、本明細書の記載は、例示説明を目的とし、本発明に対して何ら制限的な意味をもたらさない。
【図１】
2019082247.tif 000003
【図２】
2019082247.tif 000004
【図３】
2019082247.tif 000005
【図４】
2019082247.tif 000006
【図５】
2019082247.tif 000007
【図６】
2019082247.tif 000008
【図７】
2019082247.tif 000009
【図８】
2019082247.tif 000010
【図９】
2019082247.tif 000011
【図１０】
2019082247.tif 000012
【図１１】
2019082247.tif 000013
【図１２】
2019082247.tif 000014
【図１３】
2019082247.tif 000015
【図１４】
2019082247.tif 000016
【図１５】
2019082247.tif 000017
【図１６】
2019082247.tif 000018
【図１７】
2019082247.tif 000019
【手続補正書】
【提出日】令和2年10月22日(2020.10.22)
【手続補正１】
【補正対象書類名】特許請求の範囲
【補正対象項目名】全文
【補正方法】変更
【補正の内容】
【特許請求の範囲】
【請求項１】
Hybrid  Automatic  Repeat  reQuest−Acknowledge（ＨＡＲＱ−ＡＣＫ）とスケジューリング要求（ＳＲ）とチャネル状態情報（ＣＳＩ）との少なくとも一つを含む上り制御情報（ＵＣＩ）を送信する送信部と、
前記ＵＣＩ用の上り制御チャネルが上り共有チャネルと重複する場合、前記上り制御チャネルの開始タイミングに基づいて、前記ＵＣＩの送信を制御する制御部と、
を具備することを特徴とする端末。
【請求項２】
前記制御部は、前記上り制御チャネルの開始タイミングを、下り制御情報に基づいて決定することを特徴とする請求項１に記載の端末。
【請求項３】
端末において、
Hybrid  Automatic  Repeat  reQuest−Acknowledge（ＨＡＲＱ−ＡＣＫ）とスケジューリング要求（ＳＲ）とチャネル状態情報（ＣＳＩ）との少なくとも一つを含む上り制御情報（ＵＣＩ）を送信する工程と、
前記ＵＣＩ用の上り制御チャネルが上り共有チャネルと重複する場合、前記上り制御チャネルの開始タイミングに基づいて、前記ＵＣＩの送信を制御する工程と、
を有することを特徴とする無線通信方法。
【請求項４】
Hybrid  Automatic  Repeat  reQuest−Acknowledge（ＨＡＲＱ−ＡＣＫ）とスケジューリング要求（ＳＲ）とチャネル状態情報（ＣＳＩ）との少なくとも一つを含む上り制御情報（ＵＣＩ）を受信する受信部と、
前記ＵＣＩ用の上り制御チャネルが上り共有チャネルと重複する場合に、端末によって前記上り制御チャネルの開始タイミングに基づいて送信が制御された前記ＵＣＩを受信するよう制御する制御部と、
を具備することを特徴とする基地局。
【手続補正３】
【補正対象書類名】明細書
【補正対象項目名】００１０
【補正方法】変更
【補正の内容】
【００１０】
本発明の一態様に係る端末は、Hybrid  Automatic  Repeat  reQuest−Acknowledge（ＨＡＲＱ−ＡＣＫ）とスケジューリング要求（ＳＲ）とチャネル状態情報（ＣＳＩ）との少なくとも一つを含む上り制御情報（ＵＣＩ）を送信する送信部と、前記ＵＣＩ用の上り制御チャネルが上り共有チャネルと重複する場合、前記上り制御チャネルの開始タイミングに基づいて、前記ＵＣＩの送信を制御する制御部と、を具備することを特徴とする。
【国際調査報告】
2019082247.tif 000020
2019082247.tif 000021
2019082247.tif 000022